(57)【要約】  【課題】  特定のユーザ向けの情報を正当なユーザが取得することができる一方で不当なユーザが取得することを防止すること。  【解決手段】  暗号化手段１０１は、画像識別情報ｉｄを暗号化する。アクセス情報生成手段１０１ｄは、サーバとの接続に必要なＵＲＬの平文と画像識別情報ｉｄの暗号文とを含むアクセス情報を生成する。プリンタ２０によってアクセス情報を画像とともに用紙に記録させる。このアクセス情報に含まれた画像識別情報ｉｄの暗号文は、アクセス情報が携帯電話に入力されたとき、アクセス情報受信手段１０１ｇによって受信され、復号化手段１０１ｈによって復号化される。配信手段１０１ｋは、復号化した画像識別情報ｉｄに対応する画像又は当該画像の付加情報を携帯電話に配信する。また、画像識別情報ｉｄの暗号文とともにアクセスを許可する携帯電話番号の暗号文を用紙に記録し、携帯電話に登録された携帯電話番号と照合して一致した場合のみ携帯電話に対して配信を行うようにすると好ましい。【選択図】  図６
2006024191.tif 000002
【特許請求の範囲】
【請求項１】
所定のプリント媒体に画像とともに記録されたアクセス情報を用いて携帯端末からネットワークを通じてアクセスを受けたとき、アクセス元の前記携帯端末に対して前記ネットワークを通じて前記画像又は前記画像の付加情報を提供するサーバにおいて、
前記画像に対応する識別情報を暗号化する暗号化手段と、
本サーバとの接続に必要なＵＲＬの平文と前記識別情報の暗号文とを含むアクセス情報を生成するアクセス情報生成手段と、
前記アクセス情報を前記画像とともに所定のプリンタにより前記プリント媒体に記録させる指示情報を作成するプリント指示情報作成手段と、
前記プリント媒体に記録された前記アクセス情報が前記携帯端末に入力されたとき、前記アクセス情報に含まれた前記識別情報の暗号文を該携帯端末から受信する受信手段と、
受信した前記識別情報の暗号文を復号化する復号化手段と、
復号化した前記識別情報に対応する前記画像又は前記付加情報を前記携帯端末に配信する配信手段と、
を備えたことを特徴とするサーバ。
【請求項２】
所定のプリント媒体に画像とともに記録されたアクセス情報を用いて携帯端末からネットワークを通じてアクセスを受けたとき、アクセス元の前記携帯端末に対して前記ネットワークを通じて前記画像又は前記画像の付加情報を提供するサーバにおいて、
前記画像に対応する識別情報と関連付けて、前記画像ごとにアクセスが許可される前記携帯端末の端末識別子を所定のデータベースに登録する登録手段と、
前記識別情報を含む前記アクセス情報を生成するアクセス情報生成手段と
生成した前記アクセス情報を前記画像とともに所定のプリンタにより前記プリント媒体に記録させる指示情報を作成するプリント指示情報作成手段と、
前記プリント媒体に記録された前記アクセス情報が前記携帯端末に入力されたとき、前記アクセス情報に含まれた前記識別情報と該携帯端末に予め記憶された端末識別子とを該携帯端末から受信する受信手段と、
受信した前記識別情報に関連付けられた前記端末識別子を前記データベースから検索する検索手段と、
検索した前記端末識別子と前記携帯端末から受信した前記端末識別子とを照合する照合手段と、
前記照合で前記端末識別子同士が一致した場合には、受信した前記識別情報に対応する前記画像又は前記付加情報を前記携帯端末に配信する一方で、不一致の場合には前記携帯端末からのアクセスを拒否する配信手段と、
を備えたことを特徴とするサーバ。
【請求項３】
所定のプリント媒体に画像とともに記録されたアクセス情報を用いて携帯端末からネットワークを通じてアクセスを受けたとき、アクセス元の前記携帯端末に対して前記ネットワークを通じて前記画像又は前記画像の付加情報を提供するサーバにおいて、
前記画像に対応する識別情報と関連付けて、前記画像ごとにアクセスが許可される前記携帯端末の端末識別子を所定のデータベースに登録する登録手段と、
本サーバとの接続に必要なＵＲＬの平文と前記識別情報の暗号文とを含む前記アクセス情報を生成するアクセス情報生成手段と、
前記ＵＲＬの平文と前記識別情報の暗号文とを含む前記アクセス情報を前記画像とともに所定のプリンタにより前記プリント媒体に記録させる指示情報を作成するプリント指示情報作成手段と、
前記プリント媒体に記録された前記アクセス情報が前記携帯端末に入力されたとき、前記識別情報の暗号文と該携帯端末に予め記憶されていた端末識別子とを該携帯端末から受信する受信手段と、
受信した前記識別情報の暗号文を復号化する復号化手段と、
復号化した前記識別情報に関連付けられた前記端末識別子を前記データベースから検索する検索手段と、
検索した前記端末識別子と前記携帯端末から受信した前記端末識別子とを照合する照合手段と、
前記照合で前記端末識別子同士が一致した場合には復号化した前記識別情報に対応する前記画像又は前記付加情報を前記携帯端末に配信する一方で、不一致の場合には前記携帯端末からのアクセスを拒否する配信手段と、
を備えたことを特徴とするサーバ。
【請求項４】
所定のプリント媒体に画像とともに記録されたアクセス情報を用いて携帯端末からネットワークを通じてアクセスを受けたとき、アクセス元の前記携帯端末に対して前記ネットワークを通じて前記画像又は前記画像の付加情報を提供するサーバにおいて、
前記画像ごとにアクセスが許可される前記携帯端末の端末識別子の暗号文を含む前記アクセス情報を生成するアクセス情報生成手段と、
生成した前記アクセス情報を前記画像とともに所定のプリンタにより前記プリント媒体に記録させる指示情報を作成するプリント指示情報作成手段と、
前記プリント媒体に記録された前記アクセス情報が前記携帯端末に入力されたとき、前記端末識別子の暗号文を含むアクセス情報と、該携帯端末に予め記憶されていた端末識別子とを該携帯端末から受信する受信手段と、
前記端末識別子の暗号文を復号化する復号化手段と、
復号化した前記端末識別子と前記携帯端末に予め記憶されていた前記端末識別子とを照合する照合手段と、
前記照合で前記端末識別子同士が一致した場合には、前記アクセス情報に基づいて前記画像又は前記付加情報を前記携帯端末に配信する一方で、不一致の場合には、前記携帯端末からのアクセスを拒否する配信手段と、
を備えたことを特徴とするサーバ。
【請求項５】
所定のプリント媒体に画像とともに記録されたアクセス情報を用いて携帯端末からネットワークを通じてアクセスを受けたとき、アクセス元の前記携帯端末に対して前記ネットワークを通じて前記画像又は前記画像の付加情報を提供するサーバにおいて、
前記画像ごとにアクセスが許可される前記携帯端末の端末識別子の暗号文を含む前記アクセス情報を生成するアクセス情報生成手段と、
生成した前記アクセス情報を前記画像とともに所定のプリンタにより前記プリント媒体に記録させる指示情報を作成するプリント指示情報作成手段と、
前記プリント媒体に記録された前記アクセス情報が前記携帯端末に入力されたとき、該携帯端末によって前記アクセス情報に含まれた前記端末識別子の暗号文が復号化されて、復号化された前記端末識別子と該携帯端末に予め記憶された端末識別子とが一致した場合、該携帯端末から前記アクセス情報を受信する受信手段と、
前記アクセス情報に基づいて前記画像又は前記付加情報を前記携帯端末に配信する配信手段と、
を備えたことを特徴とするサーバ。
【請求項６】
請求項２又は３に記載のサーバにおいて、
前記登録手段は、ひとつの前記識別情報に対して一又は複数の前記端末識別子が関連付けられてなるリストを前記データベースに登録し、
前記検索手段は、前記携帯端末から取得した前記識別情報に対応する前記リストを前記データベースから検索し、
前記照合手段は、前記携帯端末から取得した前記端末識別子が、前記検索手段によって検索した前記リストに含まれているか否かを判定し、
前記配信手段は、前記携帯端末から取得した前記端末識別子が前記リストに含まれている場合のみ前記携帯端末に対して前記画像又は前記付加情報を配信することを特徴とするサーバ。
【請求項７】
請求項４に記載のサーバにおいて、
前記アクセス情報生成手段は、ひとつの前記識別情報に対して一又は複数の前記端末識別子が関連付けられてなるリストを含む前記アクセス情報を生成し、
前記プリント指示情報作成手段は、前記リストを含む前記アクセス情報を前記画像とともに前記プリント媒体に記録させる前記指示情報を作成し、
前記照合手段は、前記携帯端末に予め記憶されていた前記端末識別子であって前記携帯端末から取得した前記端末識別子が、前記プリント媒体に記録されていた前記リストであって前記携帯端末から取得した前記リストに含まれているか否かを判定し、
前記配信手段は、前記携帯端末に予め記憶されていた前記端末識別子が前記リストに含まれていた場合のみ前記携帯端末に対して前記画像又は前記付加情報を配信することを特徴とするサーバ。
【請求項８】
請求項５に記載のサーバにおいて、
前記アクセス情報生成手段は、ひとつの前記識別情報に対して一又は複数の前記端末識別子が関連付けられてなるリストを含むアクセス情報を生成し、
前記プリント指示情報作成手段は、前記リストを含む前記アクセス情報を前記画像とともに前記プリント媒体に記録させる前記指示情報を作成し、
前記携帯端末に予め記憶されていた前記端末識別子が前記プリント媒体に記録されていた前記リストに含まれていた場合、前記受信手段は、前記携帯端末から前記アクセス情報を受信し、
前記携帯端末から前記アクセス情報を受信したとき、前記配信手段は、前記携帯端末に対して前記画像又は前記付加情報を配信することを特徴とするサーバ。
【請求項９】
請求項２、３又は６に記載のサーバにおいて、
前記携帯端末からのアクセスを拒否したとき、前記登録手段は、前記アクセスを拒否した前記携帯端末の前記端末識別子を前記識別情報に関連付けて前記データベースに登録することにより前記携帯端末のアクセスが許可されるように設定することを特徴とするサーバ。
【請求項１０】
請求項１乃至９のいずれか１項に記載のサーバにアクセスし、該サーバから前記画像又は前記付加情報を受信して再生する前記携帯端末。
【請求項１１】
所定のプリント媒体に画像とともに記録されたアクセス情報を用いてネットワークを通じて所定のサーバにアクセスし、該サーバから画像又は前記画像の付加情報を受信して再生する携帯端末において、
前記画像ごとにアクセスが許可される前記携帯端末の端末識別子の暗号文を含む前記アクセス情報が入力される入力手段と、
前記アクセス情報に含まれた前記端末識別子の暗号文を復号化する復号化手段と、
本携帯端末の端末識別子を記憶する記憶手段と、
前記復号化手段によって復号化された前記端末識別子と前記記憶手段に記憶された前記端末識別子とを照合する照合手段と、
前記端末識別子同士が一致した場合には前記アクセス情報を用いて前記サーバにアクセスする一方で、前記端末識別子同士が一致しない場合には前記サーバへのアクセスを行わない制御を行うアクセス制御手段と、
を備えたことを特徴とする携帯端末。
【請求項１２】
請求項１１に記載の携帯端末において、
前記入力手段は、ひとつの前記識別情報に対して一又は複数の前記端末識別子が関連付けられてなるリストを含むアクセス情報が入力され、
前記照合手段は、前記記憶手段に予め記憶されていた前記端末識別子が前記リストに含まれているか否かを判定し、
前記アクセス制御手段は、前記記憶手段に予め記憶されていた前記端末識別子が前記リストに含まれていた場合のみ前記サーバにアクセスする制御を行うことを特徴とする携帯端末。
【請求項１３】
請求項１０乃至請求項１２のいずれか１項に記載の携帯端末において、
前記アクセス制御手段は、前記サーバによってアクセスが拒否されたとき、前記サーバにアクセスの許可を要求することを特徴とする携帯端末。
【請求項１４】
所定のプリント媒体に画像とともに記録されたアクセス情報を用いて携帯端末からネットワークを通じてサーバにアクセスしたとき、該サーバからアクセス元の前記携帯端末に対して前記ネットワークを通じて前記画像又は前記画像の付加情報を提供するサービス方法において、
前記サーバが、前記画像に対応する識別情報を暗号化するステップと、
前記サーバが、前記サーバとの接続に必要なＵＲＬの平文と前記識別情報の暗号文とを含む前記アクセス情報を生成するステップと、
所定のプリンタが、前記アクセス情報を前記画像とともに前記プリント媒体に記録するステップと、
前記プリント媒体に記録された前記アクセス情報が前記携帯端末に入力されたとき、該携帯端末から前記サーバに、前記アクセス情報に含まれた前記識別情報の暗号文を送信するステップと、
前記サーバが、受信した前記識別情報の暗号文を復号化するステップと、
前記サーバが、復号化した前記識別情報に対応する前記画像又は前記付加情報を前記携帯端末に送信するステップと、
を含むことを特徴とするサービス方法。
【請求項１５】
所定のプリント媒体に画像とともに記録されたアクセス情報を用いて携帯端末からネットワークを通じてサーバにアクセスしたとき、該サーバからアクセス元の前記携帯端末に対して前記ネットワークを通じて前記画像又は前記画像の付加情報を提供するサービス方法において、
前記サーバが、前記画像に対応する識別情報と関連付けて、前記画像ごとにアクセスを許可する前記携帯端末の端末識別子を所定のデータベースに登録するステップと、
前記サーバが、前記識別情報を含む前記アクセス情報を生成するステップと、
所定のプリンタが、前記アクセス情報を前記画像とともに前記プリント媒体に記録するステップと、
前記プリント媒体に記録された前記アクセス情報が前記携帯端末に入力されたとき、該携帯端末から前記サーバに、前記アクセス情報に含まれた前記識別情報と該携帯端末に予め記憶された端末識別子とを送信するステップと、
前記サーバが、受信した前記識別情報に関連付けられた前記端末識別子を前記データベースから検索するステップと、
前記サーバが、検索した前記端末識別子と前記携帯端末から受信した端末識別子とを照合するステップと、
前記照合で前記端末識別子同士が一致した場合には、前記サーバが、受信した前記識別情報に対応する前記画像又は前記付加情報を前記携帯端末に送信するステップと、
を含むことを特徴とするサービス方法。
【請求項１６】
所定のプリント媒体に画像とともに記録されたアクセス情報を用いて携帯端末からネットワークを通じてサーバにアクセスしたとき、該サーバからアクセス元の前記携帯端末に対して前記ネットワークを通じて前記画像又は前記画像の付加情報を提供するサービス方法において、
前記サーバが、前記画像に対応する識別情報と関連付けて、前記画像ごとにアクセスが許可される前記携帯端末の端末識別子を所定のデータベースに登録するステップと、
前記サーバが、本サーバとの接続に必要なＵＲＬの平文と前記識別情報の暗号文とを含むアクセス情報を生成するステップと、
所定のプリンタが、前記ＵＲＬの平文と前記識別情報の暗号文とを含む前記アクセス情報を前記画像とともに前記プリント媒体に記録するステップと、
前記プリント媒体に記録された前記アクセス情報が携帯端末に入力されたとき、該携帯端末から前記サーバに、前記識別情報の暗号文と該携帯端末に予め記憶されていた端末識別子とを送信するステップと、
前記サーバが、受信した前記識別情報の暗号文を復号化するステップと、
前記サーバが、復号化した前記識別情報に関連付けられた前記端末識別子を前記データベースから検索するステップと、
前記サーバが、検索した前記端末識別子と前記携帯端末から受信した前記端末識別子とを照合するステップと、
前記照合で前記端末識別子同士が一致した場合には、前記サーバが、復号化した前記識別情報に対応する前記画像又は前記付加情報を前記携帯端末に送信するステップと、
を含むことを特徴とするサービス方法。
【請求項１７】
所定のプリント媒体に画像とともに記録されたアクセス情報を用いて携帯端末からネットワークを通じてサーバにアクセスしたとき、該サーバからアクセス元の前記携帯端末に対して前記ネットワークを通じて前記画像又は前記画像の付加情報を提供するサービス方法において、
前記サーバが、前記画像ごとにアクセスが許可される前記携帯端末の端末識別子の暗号文を含む前記アクセス情報を生成するステップと、
所定のプリンタが、前記アクセス情報を前記画像とともに前記プリント媒体に記録するステップと、
前記プリント媒体に記録された前記アクセス情報が前記携帯端末に入力されたとき、該携帯端末から前記サーバに、前記端末識別子の暗号文を含むアクセス情報と、該携帯端末に予め記憶されていた前記端末識別子とを送信するステップと、
前記サーバが、前記端末識別子の暗号文を復号化するステップと、
前記サーバが、復号化した前記端末識別子と前記携帯端末に予め記憶されていた前記端末識別子とを照合するステップと、
前記照合で前記端末識別子同士が一致した場合には、前記サーバが、前記アクセス情報に基づいて前記画像又は前記付加情報を前記携帯端末に送信するステップと、
を含むことを特徴とするサービス方法。
【請求項１８】
所定のプリント媒体に画像とともに記録されたアクセス情報を用いて携帯端末からネットワークを通じてサーバにアクセスしたとき、該サーバからアクセス元の前記携帯端末に対して前記ネットワークを通じて前記画像又は前記画像の付加情報を提供するサービス方法において、
前記サーバが、前記画像ごとにアクセスが許可される前記携帯端末の端末識別子の暗号文を含む前記アクセス情報を生成するステップと、
所定のプリンタが、前記アクセス情報を前記画像とともに前記プリント媒体に記録するステップと、
前記プリント媒体に記録された前記アクセス情報が前記携帯端末に入力されたとき、該携帯端末が、前記アクセス情報に含まれた前記端末識別子の暗号文を復号化するステップと、
前記携帯端末が、復号化した前記端末識別子と該携帯端末に予め記憶された端末識別子とを照合するステップと、
前記照合で前記端末識別子同士が一致した場合には、該携帯端末から前記サーバに前記アクセス情報を用いてアクセスするステップと、
前記サーバが、前記アクセス情報に基づいて前記画像又は前記付加情報を前記携帯端末に送信するステップと、
を含むことを特徴とするサービス方法。
【発明の詳細な説明】
【技術分野】
【０００１】
本発明はサーバ、携帯端末及びサービス方法に係り、特にネットワークを通じて画像又は画像の付加情報を提供するサーバ、携帯端末及びサービス方法に関する。
【背景技術】
【０００２】
従来、ＱＲコード（登録商標）などの２次元コードを広告媒体に印刷して一般ユーザに配布し、この広告媒体を受け取った一般ユーザが２次元コードを携帯電話に読み取らせることにより、ネットワーク上の詳細情報を容易に入手できるようにしたものが知られている（例えば特許文献１を参照）。
【０００３】
例えば、ネットワーク上のサーバには商品の機能などを紹介した詳細情報を予め登録しておき、一般ユーザには商品名及びそのキャッチコピーなどの視覚に入り易い簡単な情報と２次元コードを印刷した広告媒体を配布する。２次元コードは、サーバに登録した詳細情報を取得するためのＵＲＬ（Uniform Resource Locator）が所定の形式でエンコードされたものである。一般ユーザが携帯電話に２次元コードを読み取らせると、携帯電話により２次元コードがデコードされて、そのデコード結果（ＵＲＬ）が携帯電話の画面に表示される。ここで、一般ユーザが携帯電話で通信を許可する操作を行うと、携帯電話の画面に表示されたＵＲＬを用いて携帯電話がサーバにアクセスし、サーバからダウンロードした広告に関する詳細情報が携帯電話の画面に表示される。
【０００４】
また、電子商取引に必要な情報を２次元コードとしてカタログなどの紙媒体に印刷して配布し、この紙媒体に印刷された２次元コードを所定の携帯端末で読み取り、さらに、読み取った情報と携帯端末の内部で予め保存されている個人情報とを結合して送信することにより、キーボードレスでネットワーク上の物品情報閲覧、購入、予約、決済などを行うようにしたものも提案されている（非特許文献１を参照）。
【特許文献１】特開２００２−１１８６８０号公報
【非特許文献１】宮内淑子、中西崇文、北川高嗣共著「メディアスティックシステムの開発と実証」（第１−２頁、図１）、1086740537156_0.pdf
【発明の開示】
【発明が解決しようとする課題】
【０００５】
しかし、特定のユーザだけに提供したい情報であっても、第３者がサーバから取得できてしまうという問題がある。
【０００６】
例えば、Ａさんに提供すべき情報を取得可能なアクセス情報をプリントした写真プリントＡをＡさんに渡す。そうすると、Ａさんは写真プリントＡにプリントされたアクセス情報をＡさんの携帯電話に入力することによりＡさん宛ての情報をサーバから取得できる。ここで、もしもＡさんが、サーバにアクセスする際にＡさんの携帯電話の画面に表示されるＡさん用のアクセス情報を観察して、他人のアクセス情報を推測し得た場合には、Ａさんが推測した他人のアクセス情報をＡさんが携帯電話に入力することによりＡさんが他人の情報を閲覧し得るという問題がある。
【０００７】
ところで、インターネットを利用する場合、アクセス情報には、一般に、通信プロトコル名（例えば「ｈｔｔｐ」、Hyper Text Transfer Protocol）及びサーバのドメイン名からなるＵＲＬを用いる。これらの通信プロトコル名及びサーバのドメイン名はサーバに接続するために最小限必要な情報である。ここで、仮に、周知の暗号化技術を用いて通信プロトコル名及びサーバのドメイン名を含むアクセス情報の全部を一律に暗号化した場合、
暗号文を復号化する機能を持たない携帯電話では、他人宛の情報を不当取得できないのはよいが、サーバに全く接続できなくなってしまう。すなわち、正当な情報取得もできないことになってしまう。
【０００８】
本発明はこのような事情に鑑みてなされたもので、特定のユーザに提供すべき情報を正当なユーザが取得することができる一方で不当なユーザが取得することを防止するためのサーバ、携帯端末及びサービス方法を提供することを目的とする。
【課題を解決するための手段】
【０００９】
前記目的を達成するために、請求項１に記載の発明は、所定のプリント媒体に画像とともに記録されたアクセス情報を用いて携帯端末からネットワークを通じてアクセスを受けたとき、アクセス元の前記携帯端末に対して前記ネットワークを通じて前記画像又は前記画像の付加情報を提供するサーバにおいて、前記画像に対応する識別情報を暗号化する暗号化手段と、本サーバとの接続に必要なＵＲＬの平文と前記識別情報の暗号文とを含むアクセス情報を生成するアクセス情報生成手段と、前記アクセス情報を前記画像とともに所定のプリンタにより前記プリント媒体に記録させる指示情報を作成するプリント指示情報作成手段と、前記プリント媒体に記録された前記アクセス情報が前記携帯端末に入力されたとき、前記アクセス情報に含まれた前記識別情報の暗号文を該携帯端末から受信する受信手段と、受信した前記識別情報の暗号文を復号化する復号化手段と、復号化した前記識別情報に対応する前記画像又は前記付加情報を前記携帯端末に配信する配信手段を備えたことを特徴とするサーバを提供する。
【００１０】
この構成によって、プリント媒体には画像に対応する識別情報が暗号文で記録され、アクセス情報を表示可能な機器でアクセス情報を読み取ったとしても、識別情報は暗号化されたものが表示されるので、第３者宛ての情報を取得するためのアクセス情報を推定することが困難になり、写真プリントを配布されたユーザはそのユーザに提供されるべき情報にのみアクセスすることになる。また、ＵＲＬの部分が平文なので、暗号文を復号化する機能を携帯端末が有していなくても、サーバにアクセスしてサービスを受けることが可能になる。
【００１１】
請求項２に記載の発明は、所定のプリント媒体に画像とともに記録されたアクセス情報を用いて携帯端末からネットワークを通じてアクセスを受けたとき、アクセス元の前記携帯端末に対して前記ネットワークを通じて前記画像又は前記画像の付加情報を提供するサーバにおいて、前記画像に対応する識別情報と関連付けて、前記画像ごとにアクセスが許可される前記携帯端末の端末識別子を所定のデータベースに登録する登録手段と、前記識別情報を含む前記アクセス情報を生成するアクセス情報生成手段と、生成した前記アクセス情報を前記画像とともに所定のプリンタにより前記プリント媒体に記録させる指示情報を作成するプリント指示情報作成手段と、前記プリント媒体に記録された前記アクセス情報が前記携帯端末に入力されたとき、前記アクセス情報に含まれた前記識別情報と該携帯端末に予め記憶された端末識別子とを該携帯端末から受信する受信手段と、受信した前記識別情報に関連付けられた前記端末識別子を前記データベースから検索する検索手段と、検索した前記端末識別子と前記携帯端末から受信した前記端末識別子とを照合する照合手段と、前記照合で前記端末識別子同士が一致した場合には、受信した前記識別情報に対応する前記画像又は前記付加情報を前記携帯端末に配信する一方で、不一致の場合には前記携帯端末からのアクセスを拒否する配信手段を備えたことを特徴とするサーバを提供する。
【００１２】
この構成によって、識別情報に関連付けられてデータベースに登録されたアクセス許可の携帯端末の端末識別子と、プリント媒体上のアクセス情報を用いて実際にアクセスしてきた携帯端末の端末識別子とが照合されて、両端末識別子が一致した場合のみ画像や付加情報が提供されるので、特定のユーザに提供すべき画像や付加情報を第３者が取得することを防止できる。
【００１３】
請求項３に記載の発明は、所定のプリント媒体に画像とともに記録されたアクセス情報を用いて携帯端末からネットワークを通じてアクセスを受けたとき、アクセス元の前記携帯端末に対して前記ネットワークを通じて前記画像又は前記画像の付加情報を提供するサーバにおいて、前記画像に対応する識別情報と関連付けて、前記画像ごとにアクセスが許可される前記携帯端末の端末識別子を所定のデータベースに登録する登録手段と、本サーバとの接続に必要なＵＲＬの平文と前記識別情報の暗号文とを含む前記アクセス情報を生成するアクセス情報生成手段と、前記ＵＲＬの平文と前記識別情報の暗号文とを含む前記アクセス情報を前記画像とともに所定のプリンタにより前記プリント媒体に記録させる指示情報を作成するプリント指示情報作成手段と、前記プリント媒体に記録された前記アクセス情報が前記携帯端末に入力されたとき、前記識別情報の暗号文と該携帯端末に予め記憶されていた端末識別子とを該携帯端末から受信する受信手段と、受信した前記識別情報の暗号文を復号化する復号化手段と、復号化した前記識別情報に関連付けられた前記端末識別子を前記データベースから検索する検索手段と、検索した前記端末識別子と前記携帯端末から受信した前記端末識別子とを照合する照合手段と、前記照合で前記端末識別子同士が一致した場合には復号化した前記識別情報に対応する前記画像又は前記付加情報を前記携帯端末に配信する一方で、不一致の場合には前記携帯端末からのアクセスを拒否する配信手段を備えたことを特徴とするサーバを提供する。
【００１４】
この構成によって、画像に対応する識別情報に関連付けられてデータベースに登録されたアクセス許可の携帯端末の端末識別子と、プリント媒体上のアクセス情報を用いて実際にアクセスしてきた携帯端末の端末識別子とが照合されて、両端末識別子が一致した場合のみ画像や付加情報が提供されるので、特定のユーザに提供すべき画像や付加情報を第３者が取得することを防止できる。また、プリント媒体には識別情報が暗号文で記録され、アクセス情報を表示可能な機器でアクセス情報を読み取ったとしても、識別情報は暗号化されたものが表示されるので、第３者宛ての情報を取得するためのアクセス情報を推定することが困難であり、写真プリントを配布されたユーザはそのユーザに提供されるべき情報にのみアクセスすることになる。また、ＵＲＬの部分が平文なので、暗号文を復号化する機能を携帯端末が有していなくても、サーバにアクセスしサービスを受けることが可能になる。
【００１５】
請求項４に記載の発明は、所定のプリント媒体に画像とともに記録されたアクセス情報を用いて携帯端末からネットワークを通じてアクセスを受けたとき、アクセス元の前記携帯端末に対して前記ネットワークを通じて前記画像又は前記画像の付加情報を提供するサーバにおいて、前記画像ごとにアクセスが許可される前記携帯端末の端末識別子の暗号文を含む前記アクセス情報を生成するアクセス情報生成手段と、生成した前記アクセス情報を前記画像とともに所定のプリンタにより前記プリント媒体に記録させる指示情報を作成するプリント指示情報作成手段と、前記プリント媒体に記録された前記アクセス情報が前記携帯端末に入力されたとき、前記端末識別子の暗号文を含むアクセス情報と、該携帯端末に予め記憶されていた端末識別子とを該携帯端末から受信する受信手段と、前記端末識別子の暗号文を復号化する復号化手段と、復号化した前記端末識別子と前記携帯端末に予め記憶されていた前記端末識別子とを照合する照合手段と、前記照合で前記端末識別子同士が一致した場合には、前記アクセス情報に基づいて前記画像又は前記付加情報を前記携帯端末に配信する一方で、不一致の場合には、前記携帯端末からのアクセスを拒否する配信手段を備えたことを特徴とするサーバを提供する。
【００１６】
この構成によって、アクセス許可の携帯端末の端末識別子と、プリント媒体上のアクセス情報を用いて実際にアクセスしてきた携帯端末の端末識別子とが照合されて、両端末識別子が一致した場合のみ画像や付加情報が提供されるので、特定のユーザに提供すべき画像や付加情報を第３者が取得することを防止できる。また、サーバでは、アクセス許可の携帯端末の端末識別子を保存しておく必要がないことになる。
【００１７】
請求項５に記載の発明は、所定のプリント媒体に画像とともに記録されたアクセス情報を用いて携帯端末からネットワークを通じてアクセスを受けたとき、アクセス元の前記携帯端末に対して前記ネットワークを通じて前記画像又は前記画像の付加情報を提供するサーバにおいて、前記画像ごとにアクセスが許可される前記携帯端末の端末識別子の暗号文を含む前記アクセス情報を生成するアクセス情報生成手段と、生成した前記アクセス情報を前記画像とともに所定のプリンタにより前記プリント媒体に記録させる指示情報を作成するプリント指示情報作成手段と、前記プリント媒体に記録された前記アクセス情報が前記携帯端末に入力されたとき、該携帯端末によって前記アクセス情報に含まれた前記端末識別子の暗号文が復号化されて、復号化された前記端末識別子と該携帯端末に予め記憶された端末識別子とが一致した場合、該携帯端末から前記アクセス情報を受信する受信手段と、前記アクセス情報に基づいて前記画像又は前記付加情報を前記携帯端末に配信する配信手段を備えたことを特徴とするサーバを提供する。
【００１８】
この構成によって、アクセス許可の携帯端末の端末識別子と、プリント媒体上のアクセス情報を用いて実際にアクセスしようとする携帯端末の端末識別子と照合されて、両端末識別子が一致した場合のみ画像や付加情報が提供されるので、特定のユーザに提供すべき画像や付加情報を第３者が取得することを防止できる。また、サーバでは、アクセス許可の携帯端末の端末識別子を保存しておく必要がないことになる。また、アクセス許可の携帯端末の端末識別子と、プリント媒体上のアクセス情報を用いて実際にアクセスしようとする携帯端末の端末識別子とが照合されて、両端末識別子が一致した場合のみサーバへのアクセスが行われるので、冗長な通信が排除される。
【００１９】
請求項６に記載の発明は、請求項２又は３に記載のサーバにおいて、前記登録手段は、ひとつの前記識別情報に対して一又は複数の前記端末識別子が関連付けられてなるリストを前記データベースに登録し、前記検索手段は、前記携帯端末から取得した前記識別情報に対応する前記リストを前記データベースから検索し、前記照合手段は、前記携帯端末から取得した前記端末識別子が、前記検索手段によって検索した前記リストに含まれているか否かを判定し、前記配信手段は、前記携帯端末から取得した前記端末識別子が前記リストに含まれている場合のみ前記携帯端末に対して前記画像又は前記付加情報を配信することを特徴とするサーバを提供する。
【００２０】
請求項７に記載の発明は、請求項４に記載のサーバにおいて、前記アクセス情報生成手段は、ひとつの前記識別情報に対して一又は複数の前記端末識別子が関連付けられてなるリストを含む前記アクセス情報を生成し、前記プリント指示情報作成手段は、前記リストを含む前記アクセス情報を前記画像とともに前記プリント媒体に記録させる前記指示情報を作成し、前記照合手段は、前記携帯端末に予め記憶されていた前記端末識別子であって前記携帯端末から取得した前記端末識別子が、前記プリント媒体に記録されていた前記リストであって前記携帯端末から取得した前記リストに含まれているか否かを判定し、前記配信手段は、前記携帯端末に予め記憶されていた前記端末識別子が前記リストに含まれていた場合のみ前記携帯端末に対して前記画像又は前記付加情報を配信することを特徴とするサーバを提供する。
【００２１】
請求項８に記載の発明は、請求項５に記載のサーバにおいて、前記アクセス情報生成手段は、ひとつの前記識別情報に対して一又は複数の前記端末識別子が関連付けられてなるリストを含むアクセス情報を生成し、前記プリント指示情報作成手段は、前記リストを含む前記アクセス情報を前記画像とともに前記プリント媒体に記録させる前記指示情報を作成し、前記携帯端末に予め記憶されていた前記端末識別子が前記プリント媒体に記録されていた前記リストに含まれていた場合、前記受信手段は、前記携帯端末から前記アクセス情報を受信し、前記携帯端末から前記アクセス情報を受信したとき、前記配信手段は、前記携帯端末に対して前記画像又は前記付加情報を配信することを特徴とするサーバを提供する。
【００２２】
請求項９に記載の発明は、請求項２、３又は６に記載のサーバにおいて、前記携帯端末からのアクセスを拒否したとき、前記登録手段は、前記アクセスを拒否した前記携帯端末の前記端末識別子を前記識別情報に関連付けて前記データベースに登録することにより前記携帯端末のアクセスが許可されるように設定することを特徴とするサーバを提供する。
【００２３】
請求項１０に記載の発明は、請求項１乃至９のいずれか１項に記載のサーバにアクセスし、該サーバから前記画像又は前記付加情報を受信して再生する前記携帯端末を提供する。
【００２４】
請求項１１に記載の発明は、所定のプリント媒体に画像とともに記録されたアクセス情報を用いてネットワークを通じて所定のサーバにアクセスし、該サーバから画像又は前記画像の付加情報を受信して再生する携帯端末において、前記画像ごとにアクセスが許可される前記携帯端末の端末識別子の暗号文を含む前記アクセス情報が入力される入力手段と、前記アクセス情報に含まれた前記端末識別子の暗号文を復号化する復号化手段と、本携帯端末の端末識別子を記憶する記憶手段と、前記復号手段によって復号化された前記端末識別子と前記記憶手段に記憶された前記端末識別子とを照合する照合手段と、前記端末識別子同士が一致した場合には前記アクセス情報を用いて前記サーバにアクセスする一方で、前記端末識別子同士が一致しない場合には前記サーバへのアクセスを行わない制御を行うアクセス制御手段を備えたことを特徴とする携帯端末を提供する。
【００２５】
請求項１２に記載の発明は、請求項１１に記載の携帯端末において、前記入力手段は、ひとつの前記識別情報に対して一又は複数の前記端末識別子が関連付けられてなるリストを含むアクセス情報が入力され、前記照合手段は、前記記憶手段に予め記憶されていた前記端末識別子が前記リストに含まれているか否かを判定し、前記アクセス制御手段は、前記記憶手段に予め記憶されていた前記端末識別子が前記リストに含まれていた場合のみ前記サーバにアクセスする制御を行うことを特徴とする携帯端末を提供する。
【００２６】
請求項１３に記載の発明は、請求項１０乃至請求項１２のいずれか１項に記載の携帯端末において、前記アクセス制御手段は、前記サーバによってアクセスが拒否されたとき、前記サーバにアクセスの許可を要求することを特徴とする携帯端末を提供する。
【００２７】
請求項１４に記載の発明は、所定のプリント媒体に画像とともに記録されたアクセス情報を用いて携帯端末からネットワークを通じてサーバにアクセスしたとき、該サーバからアクセス元の前記携帯端末に対して前記ネットワークを通じて前記画像又は前記画像の付加情報を提供するサービス方法において、前記サーバが、前記画像に対応する識別情報を暗号化するステップと、前記サーバが、前記サーバとの接続に必要なＵＲＬの平文と前記識別情報の暗号文とを含む前記アクセス情報を生成するステップと、所定のプリンタが、前記アクセス情報を前記画像とともに前記プリント媒体に記録するステップと、前記プリント媒体に記録された前記アクセス情報が前記携帯端末に入力されたとき、該携帯端末から前記サーバに、前記アクセス情報に含まれた前記識別情報の暗号文を送信するステップと、前記サーバが、受信した前記識別情報の暗号文を復号化するステップと、前記サーバが、復号化した前記識別情報に対応する前記画像又は前記付加情報を前記携帯端末に送信するステップを含むことを特徴とするサービス方法を提供する。
【００２８】
請求項１５に記載の発明は、所定のプリント媒体に画像とともに記録されたアクセス情報を用いて携帯端末からネットワークを通じてサーバにアクセスしたとき、該サーバからアクセス元の前記携帯端末に対して前記ネットワークを通じて前記画像又は前記画像の付加情報を提供するサービス方法において、前記サーバが、前記画像に対応する識別情報と関連付けて、前記画像ごとにアクセスを許可する前記携帯端末の端末識別子を所定のデータベースに登録するステップと、前記サーバが、前記識別情報を含む前記アクセス情報を生成するステップと、所定のプリンタが、前記アクセス情報を前記画像とともに前記プリント媒体に記録するステップと、前記プリント媒体に記録された前記アクセス情報が前記携帯端末に入力されたとき、該携帯端末から前記サーバに、前記アクセス情報に含まれた前記識別情報と該携帯端末に予め記憶された端末識別子とを送信するステップと、前記サーバが、受信した前記識別情報に関連付けられた前記端末識別子を前記データベースから検索するステップと、前記サーバが、検索した前記端末識別子と前記携帯端末から受信した端末識別子とを照合するステップと、前記照合で前記端末識別子同士が一致した場合には、前記サーバが、受信した前記識別情報に対応する前記画像又は前記付加情報を前記携帯端末に送信するステップを含むことを特徴とするサービス方法を提供する。
【００２９】
請求項１６に記載の発明は、所定のプリント媒体に画像とともに記録されたアクセス情報を用いて携帯端末からネットワークを通じてサーバにアクセスしたとき、該サーバからアクセス元の前記携帯端末に対して前記ネットワークを通じて前記画像又は前記画像の付加情報を提供するサービス方法において、前記サーバが、前記画像に対応する識別情報と関連付けて、前記画像ごとにアクセスが許可される前記携帯端末の端末識別子を所定のデータベースに登録するステップと、前記サーバが、本サーバとの接続に必要なＵＲＬの平文と前記識別情報の暗号文とを含むアクセス情報を生成するステップと、所定のプリンタが、前記ＵＲＬの平文と前記識別情報の暗号文とを含む前記アクセス情報を前記画像とともに前記プリント媒体に記録するステップと、前記プリント媒体に記録された前記アクセス情報が携帯端末に入力されたとき、該携帯端末から前記サーバに、前記識別情報の暗号文と該携帯端末に予め記憶されていた端末識別子とを送信するステップと、前記サーバが、受信した前記識別情報の暗号文を復号化するステップと、前記サーバが、復号化した前記識別情報に関連付けられた前記端末識別子を前記データベースから検索するステップと、前記サーバが、検索した前記端末識別子と前記携帯端末から受信した前記端末識別子とを照合するステップと、前記照合で前記端末識別子同士が一致した場合には、前記サーバが、復号化した前記識別情報に対応する前記画像又は前記付加情報を前記携帯端末に送信するステップを含むことを特徴とするサービス方法を提供する。
【００３０】
請求項１７に記載の発明は、所定のプリント媒体に画像とともに記録されたアクセス情報を用いて携帯端末からネットワークを通じてサーバにアクセスしたとき、該サーバからアクセス元の前記携帯端末に対して前記ネットワークを通じて前記画像又は前記画像の付加情報を提供するサービス方法において、前記サーバが、前記画像ごとにアクセスが許可される前記携帯端末の端末識別子の暗号文を含む前記アクセス情報を生成するステップと、所定のプリンタが、前記アクセス情報を前記画像とともに前記プリント媒体に記録するステップと、前記プリント媒体に記録された前記アクセス情報が前記携帯端末に入力されたとき、該携帯端末から前記サーバに、前記端末識別子の暗号文を含むアクセス情報と、該携帯端末に予め記憶されていた前記端末識別子とを送信するステップと、前記サーバが、前記端末識別子の暗号文を復号化するステップと、前記サーバが、復号化した前記端末識別子と前記携帯端末に予め記憶されていた前記端末識別子とを照合するステップと、前記照合で前記端末識別子同士が一致した場合には、前記サーバが、前記アクセス情報に基づいて前記画像又は前記付加情報を前記携帯端末に送信するステップを含むことを特徴とするサービス方法を提供する。
【００３１】
請求項１８に記載の発明は、所定のプリント媒体に画像とともに記録されたアクセス情報を用いて携帯端末からネットワークを通じてサーバにアクセスしたとき、該サーバからアクセス元の前記携帯端末に対して前記ネットワークを通じて前記画像又は前記画像の付加情報を提供するサービス方法において、前記サーバが、前記画像ごとにアクセスが許可される前記携帯端末の端末識別子の暗号文を含む前記アクセス情報を生成するステップと、所定のプリンタが、前記アクセス情報を前記画像とともに前記プリント媒体に記録するステップと、前記プリント媒体に記録された前記アクセス情報が前記携帯端末に入力されたとき、該携帯端末が、前記アクセス情報に含まれた前記端末識別子の暗号文を復号化するステップと、前記携帯端末が、復号化した前記端末識別子と該携帯端末に予め記憶された端末識別子とを照合するステップと、前記照合で前記端末識別子同士が一致した場合には、該携帯端末から前記サーバに前記アクセス情報を用いてアクセスするステップと、前記サーバが、前記アクセス情報に基づいて前記画像又は前記付加情報を前記携帯端末に送信するステップを含むことを特徴とするサービス方法を提供する。
【発明の効果】
【００３２】
本発明によれば、特定のユーザに提供すべき情報を正当なユーザが取得することができる一方で不当なユーザが取得することを防止できる。
【発明を実施するための最良の形態】
【００３３】
以下、添付図面に従って本発明に係るサーバ及びサービス方法を実施するための最良の実施の形態について、詳細に説明する。
【００３４】
図１は、本発明に係る一実施形態のサービスサーバ１０を含むサービスシステムの全体構成図である。図１において、主として、サービスサーバ１０、プリンタ２０、カメラ付き携帯電話（以下単に「携帯電話」という）３０、４０及び注文受付端末５０が、それぞれネットワーク６０に接続されて、サービスシステムが構成されている。
【００３５】
サービスサーバ１０は、プリンタ２０、携帯電話３０、４０、及び、注文受付端末５０とネットワーク６０を通じて通信し、ユーザのプリント注文に従って写真プリントを作成する写真プリント作成処理や、写真プリントに印刷した画像又は当該画像の付加情報をネットワーク６０を通じて配信する配信処理、その他の各種サービス処理を行うものである。
【００３６】
プリンタ２０は、サービスサーバ１０の制御に従って、画像が印刷された写真プリントを作成する。写真プリントには、ＱＲコード（登録商標）等の２次元コード（「２次元バーコード」ともいう）が、プリント注文された画像とともに印刷される。なお、プリンタ２０は、図１においてはサービスサーバ１０とネットワーク６０を通じて接続されているが、このような例に特に限定されず、例えばサービスサーバ１０と直接に接続されていてもよいし、また、サービスサーバ１０と一体に形成されていてもよい。
【００３７】
携帯電話３０、４０は、被写体の撮影が可能である。また、携帯電話３０、４０は、２次元コードを撮影してデコードし、デコード結果に基づいてネットワーク６０を通じてサービスサーバ１０にアクセスするようになっている。なお、図１においては第１の携帯電話３０及び第２の携帯電話４０のみを図示したが、実際には多数の携帯電話がネットワーク６０に接続される。
【００３８】
以下、説明の都合上、携帯電話４０は、プリント注文ユーザ（「発注者」ともいう）が所持した、プリント注文時にサービスサーバ１０に対して画像のアップロードを行うプリント注文用の携帯電話であり、携帯電話３０は、写真プリントの配布先ユーザが所持した、サービスサーバ１０から画像又は画像の付加情報のダウンロードを受ける携帯電話であるものとする。これは、以下における説明の便宜上そうするのであって、実際には、プリント注文したユーザが写真プリントを所持したときには、携帯電話４０がサービスサーバ１０から画像又は画像の付加情報のダウンロードを受けることも可能である。
【００３９】
なお、プリント注文の受付態様には、図１に示す例において、２つの態様がある。第１に、プリント注文ユーザの携帯電話４０からネットワーク６０を通じてサービスサーバ１０に対してプリント注文し、サービスサーバ１０がプリント注文を受け付ける態様がある。この第１の態様では、プリント注文ユーザの携帯電話４０からサービスサーバ１０にユーザの画像がアップロードされる。第２に、注文受付端末５０でプリント注文を受け付ける態様がある。この第２の態様では、注文受付端末５０からサービスサーバ１０にユーザの画像がアップロードされる。
【００４０】
図２は、サービスサーバ１０の具体的な内部構成の例を示すブロック図である。図２において、サービスサーバ１０は、主として、プリンタ２０、携帯電話３０、４０及び注文受付端末５０とネットワーク６０を通じて通信する通信部１１と、ＣＰＵ（Central Processing Unit）からなる制御部１２と、画像・付加情報データベース１３と、アクセス情
報データベース１４と、課金情報データベース１５と、地図情報データベース１６とを含んで構成される。なお、各データベース１３乃至１６は、サービスサーバ１０の筐体内に
内蔵されている必要はなく、サービスサーバ１０の遠隔に設置して、図１のネットワーク６０を通じてサービスサーバ１０と接続した形態としてもよい。
【００４１】
通信部１１は、図１のプリント注文ユーザの携帯電話４０や注文受付端末５０から、プリント対象の画像を含む注文情報を受信する。また、写真プリントの配布先ユーザの携帯電話３０からアクセス情報を受信して、アクセス元の携帯電話３０に対して画像又はその付加情報を配信する。通信部１１は、ＨＴＴＰ（Hypertext Transfer Protocol）により
、携帯電話３０、４０及び注文受付端末５０と通信可能である。
【００４２】
画像・付加情報データベース１３は、各プリント注文ごとに、画像及びその付加情報を管理する。
【００４３】
ここで、付加情報は、写真プリントに印刷する画像に関連する情報であって、例えば、音情報、テキスト情報、撮影位置情報、撮影日時情報、動画情報、静止画情報などがある。これらの付加情報は、プリント注文時にプリント注文ユーザの携帯電話４０や注文受付端末５０から画像とともにサービスサーバ１０に入力されて登録される場合と、プリント注文後に、携帯電話３０、４０などからサービスサーバ１０に入力されて登録される場合とがある。
【００４４】
なお、付加情報は、携帯電話３０、４０その他のユーザ端末機に対してサービスサーバ１０からネットワーク６０を介して配信される配信情報としてのコンテンツを構成する。プリント対象の画像が配信情報としてユーザ端末機に配信される場合もある。
【００４５】
アクセス情報データベース１４は、携帯電話３０からサービスサーバ１０へのアクセスに関する情報を管理する。例えば、各画像ごとにアクセスを許可する携帯電話の電話番号（アクセス許可の携帯電話番号）が、各画像に対応する画像識別情報と関連付けられて、アクセス情報データベース１４に記憶される。このアクセス許可の携帯電話番号は、プリント注文時にプリント注文ユーザの携帯電話４０や注文受付端末５０から画像とともにサービスサーバ１０に入力されて登録される場合と、プリント注文後に、プリント注文ユーザの携帯電話４０からサービスサーバ１０に入力されて登録される場合とがある。また、画像識別情報がプリント対象の画像と１対１で対応する場合と、ひとつの画像識別情報がプリント注文ごとにグループ化された複数枚の画像に対応する場合とがある。
【００４６】
また、アクセス情報データベース１４は、プリント注文ごとに、画像及び付加情報の保管満了日を管理するようになっている。例えば、画像の保管満了日はデフォルトでプリント注文日から１ヶ月までとし、付加情報の保管満了日はデフォルトでプリント注文日から１年とし、これらのデフォルトよりも長い期間にわたる保管をユーザが希望する場合には、別途延長料金をその保管希望ユーザに対して課金するようにしてもよい。この保管満了日を経過すると、画像・付加情報データベース１３から該当する画像及び付加情報を削除する。なお、画像がその保管期間満了により画像・付加情報データベース１３から先に削除されて付加情報のみがその保管期間満了まで残り、後に削除される場合もある。
【００４７】
課金情報データベース１５は、プリント注文ユーザ等への課金に関する情報を管理するものである。また、地図情報データベース１６は、携帯電話３０、４０に地図を表示するための地図情報を管理するものである。
【００４８】
図３は、携帯電話３０、４０の具体的な内部構成の例を示すブロック図である。図３において、携帯電話３０、４０は、主として、カメラ３４１、マイクロホン３４２、スピーカ３４３、液晶ディスプレイ（ＬＣＤ）３４４、操作パネル３４５、位置検出部３４６、無線通信部３４７、不揮発性メモリ３４８、及び、制御部３４９を含んで構成されている。
【００４９】
カメラ３４１は、被写体の撮影に用いられるほかに、２次元コードの読取にも用いられる。マイクロホン３４２は、通話に用いられるほかに、付加情報のひとつである音情報の
入力にも用いられる。スピーカ３４３は、通話に用いられるほかに、付加情報のひとつである音情報の出力にも用いられる。液晶ディスプレイ３４４は、撮影した画像の表示、電子メールの表示、及び、各種の操作画面の表示に用いられるほかに、テキスト情報、動画情報、その他の付加情報の出力にも用いられる。操作パネル３４５は、電話番号の入力、及び、電子メールの内容の入力に用いられるほかに、付加情報のひとつであるテキスト情報の入力にも用いられる。位置検出部３４６は、ＧＰＳ（Global Positioning System）
を利用して携帯電話３０、４０の現在位置を検出する。無線通信部３４７は、図示を省略した基地局を介して他の携帯電話と通信したり、ネットワーク６０上のサービスサーバ１０、その他の通信機器と通信するものである。
【００５０】
不揮発性メモリ３４８は、携帯電話３０、４０の各部を制御するための制御プログラム、携帯電話３０、４０で入力された付加情報、ネットワーク６０を通じて取得した付加情報、自己の携帯電話番号、アドレス帳、その他の各種情報を記憶するものである。写真プリントの注文やサービスサーバ１０へのアクセスに必要なアプリケーションプログラム、Ｗｅｂブラウザプログラム、電子メールプログラム、ゲームプログラム、その他の各種アプリケーションプログラムも不揮発性メモリ３４８に記憶される。これらのアプリケーションプログラムの中には、ネットワーク６０を通じてダウンロードされるものもある。アドレス帳には、友人や知人などの携帯電話番号、住所、氏名、電子メールアドレス、その他の個人情報が登録される。
【００５１】
制御部３４９は、プログラムを実行して、携帯電話３０、４０の各部を制御する。
【００５２】
図４は写真プリント２６の例を示す図である。図４において、写真プリント２６には、４つの２次元コード２７Ａ、２７Ｂ、２７Ｃ、２７Ｄが四隅にそれぞれ印刷されている。これらの４つの２次元コード２７Ａ、２７Ｂ、２７Ｃ、２７Ｄには、互いに異なる情報がエンコードされている。例えば、第１の２次元コード２７Ａを読み取ったときには、プリント注文ユーザがサービスサーバ１０にアップロードした、音情報、テキスト情報などの付加情報が携帯電話３０で出力される。また、例えば、第２の２次元コード２７Ｂを読み取ったときには、写真プリント２６のプリント注文ユーザの携帯電話番号及び電子メールアドレス、メモ情報（「写真プリントを受け取ったら連絡してください」等）が携帯電話３０に表示される。また、例えば、第３の２次元コード２７Ｃを読み取ったときには、「はずれ！」と携帯電話３０に表示され、「はずれ！」の２次元コードが読み取られたことがサービスサーバ１０に通知される。また、例えば、第４の２次元コード２７Ｄを読み取ったときには、「あたり！ご当選おめでとう！」と携帯電話３０に表示されて、「あたり！…」の２次元コードが読み取られたことがサービスサーバ１０に通知される。なお、「はずれ！」の２次元コードを読み取ることなく「あたり！」の２次元コードを読み取った場合、すなわち、サービスサーバ１０に「はずれ！」の２次元コードを読み取ったことが通知されることなく「あたり！…」の２次元コードを読み取ったことが通知された場合には、写真プリント２６の配布先のユーザ宛に景品が配送される。これにより、カードの銀剥がしのような感覚で、２次元コードを携帯電話３０に読み込ませることができ、２次元コードが読み込まれて初めてどのような情報が出力されるのか分かるという楽しさが得られる。
【００５３】
以下、第１から第３までの実施形態に分けてサービスシステム及びサービス方法を詳細に説明する。
【００５４】
第１実施形態では、図５（ａ）に示すように、２次元コード２７として、サービスサーバ１０への接続に必要なＵＲＬ（通信プロトコル名及びサービスサーバ１０のドメイン名を含む）の平文に対して、画像識別情報ｉｄの暗号文が付加されて、写真プリント２６に記録される。また、写真プリント２６の配布先ユーザの携帯電話３０が２次元コード２７
を読み取ってサービスサーバ１０にアクセスするときには、ＵＲＬの平文と、画像識別情報ｉｄの暗号文と、携帯電話３０に予め記憶された自己の携帯電話番号とが、サービスサーバ１０に送信される。
【００５５】
図６は、第１実施形態におけるサービスサーバ１０の概念的な構成を示す概略ブロック図である。図６において、サービスサーバ１０は、主として、注文情報受信手段１０１ａ、画像識別情報発行手段１０１ｂ、暗号化手段１０１ｃ、アクセス情報生成手段１０１ｄ、プリント指示情報作成手段１０１ｅ、登録手段１０１ｆ、アクセス情報受信手段１０１ｇ、復号化手段１０１ｈ、検索手段１０１ｉ、照合手段１０１ｊ、配信手段１０１ｋ、及び、データベース１０１ｍによって構成されている。
【００５６】
注文情報受信手段１０１ａは、注文情報（プリント対象の画像、その画像の付加情報、及び、その画像のアクセス許可の携帯電話番号を含む）を受信する。
【００５７】
画像識別情報発行手段１０１ｂは、画像識別情報ｉｄを発行する。
【００５８】
ここで、画像識別情報ｉｄは、プリント対象の画像を識別するとともに、その画像の付加情報を識別する。すなわち、画像識別情報ｉｄは、携帯電話３０、４０その他のユーザ端末機に対してサービスサーバ１０からネットワーク６０を介して配信される配信情報としてのコンテンツを識別する。画像識別情報ｉｄは、コンテンツ識別情報という場合もある。また、配信情報としてのコンテンツが音情報である場合には、画像識別情報ｉｄを音識別情報という場合もある。
【００５９】
暗号化手段１０１ｃは、サービスサーバ１０の暗号鍵を用いて、画像識別情報ｉｄを暗号化する。
【００６０】
アクセス情報生成手段１０１ｄは、ＵＲＬの平文に画像識別情報ｉｄの暗号文を付加して、アクセス情報を生成する。
【００６１】
ここで、ＵＲＬ（Uniform Resource Locator）は、サービスサーバ１０と通信上接続されるとともに、サービスサーバ１０の各種のサービスのうちでコンテンツを配信する配信サービスをユーザ端末機が受けるために必要な、通信プロトコル及びドメイン名を含む。このようなＵＲＬには、各種の変数が付加される。
【００６２】
以下の説明では、「ＵＲＬ」は、通信プロトコル及びドメイン名によって構成されるものとして説明する。また、「ＵＲＬ」に画像識別情報ｉｄなどの変数が付加されて「アクセス情報」が構成されるものとして説明する。
【００６３】
プリント指示情報作成手段１０１ｅは、プリント対象の画像とともにアクセス情報をプリンタ２０により所定のプリント媒体に記録させる指示情報を作成する。この指示情報にしたがってプリンタ２０は写真プリント２６を作成する。
【００６４】
登録手段１０１ｆは、プリント対象の画像、付加情報、及び、アクセス許可の携帯電話番号を、画像識別情報ｉｄと関連付けてデータベース１０１ｍに登録する。
【００６５】
アクセス情報受信手段１０１ｇは、写真プリント２６の配布先ユーザの携帯電話３０で写真プリント２６上の２次元コード２７が読み取られたとき、ＵＲＬの平文、画像識別情報ｉｄの暗号文、及び、アクセス元の携帯電話３０に予め登録されていた自己の携帯電話番号を、アクセス元の携帯電話３０から受信する。
【００６６】
復号化手段１０１ｈは、サービスサーバ１０の復号鍵を用いて、画像識別情報ｉｄの暗号文を復号化する。
【００６７】
検索手段１０１ｉは、復号化した画像識別情報ｉｄに関連付けられたアクセス許可の携帯電話番号を、データベース１０１ｍから検索する。
【００６８】
照合手段１０１ｊは、検索したアクセス許可の携帯電話番号と、アクセス元の携帯端末３０から受信した携帯電話番号とを照合する。
【００６９】
配信手段１０１ｋは、両携帯電話番号が一致した場合には復号化した画像識別情報ｉｄに対応する画像の付加情報をアクセス元の携帯電話３０に送信する一方で、不一致の場合には携帯電話３０からのアクセスを拒否する。
【００７０】
図６に示した第１実施形態の概念的構成のサービスサーバ１０の構成要素と図２に例示した具体例のサービスサーバ１０の構成要素との対応関係を簡単に説明すると、図６の注文情報受信手段１０１ａ、アクセス情報受信手段１０１ｇ及び配信手段１０１ｋは主として図２の通信部１１によって構成され、図６の画像識別情報発行手段１０１ｂ、暗号化手段１０１ｃ、アクセス情報生成手段１０１ｄ、プリント指示情報作成手段１０１ｅ、登録手段１０１ｆ、復号化手段１０１ｈ、検索手段１０１ｉ及び照合手段１０１ｊは主として図２の制御部１２によって構成されている。
【００７１】
以上説明した第１実施形態のサービスサーバ１０による具体的なサービスの流れについて、図７を用いて詳細に説明する。
【００７２】
プリント注文ユーザは、まず、携帯電話４０で被写体を撮影する（Ｓ１０１）。
【００７３】
撮影して得られたプリント対象の画像には、音情報を付加することができ、この場合には、携帯電話４０のマイクロホン３４２により音情報を入力する。また、プリント対象の画像には、テキスト情報を付加することができ、この場合には、携帯電話４０の操作パネ
ル３４５によりテキスト情報を入力する。また、撮影日時情報と、撮影時に携帯電話４０の位置検出部３４６により検出した撮影位置情報が付加される。このような付加情報は、写真プリント２６をサービスサーバ１０に対して注文する前に入力することができる一方で、後述するように、写真プリント２６の作成を注文した後に入力することもできる。
【００７４】
次に、プリント注文ユーザは、携帯電話４０を操作して写真プリント２６の注文操作を行う（Ｓ１０２）。
【００７５】
具体的には、まず、どの画像をプリントするかを特定する。また、画像の付加情報へのアクセスを許可する携帯電話の電話番号（以下「アクセス許可の携帯電話番号」と称する）を入力する。ここで、アクセス許可の携帯電話番号ｔｅｌは、通常は、写真プリント２６の配布先のユーザの携帯電話番号である。さらに、写真プリント２６の作成とともに写真プリント２６の配送を要求する場合には、写真プリント２６の配布先のユーザの住所及び氏名を入力する。
【００７６】
なお、アクセス許可の携帯電話番号ｔｅｌ、住所及び氏名は、これらを構成する文字や数字を全て手で入力する必要はなく、携帯電話４０で管理するアドレス帳に既に登録されている相手先を選択する操作を行うことにより入力すればよい。名刺から読み取ることにより入力するようにしてもよい。
【００７７】
また、デフォルトの標準サイズ以外の用紙に画像をプリントさせる場合には、その用紙のサイズを指定する。複数枚の写真プリント２６を希望する配布先については、写真プリント２６の枚数を指定する。
【００７８】
次に、プリント注文ユーザが、携帯電話４０で所定の送信操作を行うと注文情報が携帯電話４０からネットワーク６０を通じてサービスサーバ１０に送信される（Ｓ１０３）。ここで、注文情報には、画像、付加情報（音情報、テキスト情報、撮影位置情報等）、及び、アクセス許可の携帯電話番号ｔｅｌが含まれている。プリント注文ユーザが、写真プリント２６の作成とともに写真プリント２６の配送を要求する場合には、さらに、写真プリント２６の配布先の住所及び氏名が注文情報に含まれている。
【００７９】
なお、プリント注文は注文受付端末５０で受け付けることもでき、この場合には、注文受付端末５０から注文情報がサービスサーバ１０に送信される。
【００８０】
注文情報を受信したサービスサーバ１０では、プリント対象の各画像に対応する画像識別情報ｉｄを発行して（Ｓ１１１）、この画像識別情報ｉｄを暗号化し（Ｓ１１２）、ＵＲＬの平文及び画像識別情報ｉｄの暗号文を含むアクセス情報を生成する（Ｓ１１３）。
【００８１】
第１実施形態において、アクセス情報は、例えば、「http://oto.jp?id=xyz」である。この例において、「http://oto.jp」は、ＵＲＬの平文であり、通信プロトコル名（「http」）とサービスサーバ１０のドメイン名（「oto.jp」）とを含んで構成されている。ま
た、「xyz」は画像識別情報ｉｄの暗号文であり、接続したサービスサーバ１０に引き渡
す変数の値として、アクセス情報に組み込まれている。
【００８２】
次に、サービスサーバ１０は、携帯電話４０から受信した注文情報（画像、付加情報、アクセス許可の携帯電話番号ｔｅｌなど）と、アクセス情報とを、サービスサーバ１０で発行した画像識別情報ｉｄと関連付けて、データベース１０１ｍに登録する（Ｓ１１４）。第１実施形態では、特に、アクセス許可の携帯電話番号ｔｅｌが画像識別情報ｉｄに関連付けられてデータベース１０１ｍに登録される点が重要である。
【００８３】
そして、画像及びアクセス情報がサービスサーバ１０からプリンタ２０に送信される（Ｓ１１５）。ここで、アクセス情報は、サービスサーバ１０側で２次元コードにエンコードしてプリンタ２０に送るようにしてもよいし、プリンタ２０側で２次元コードにエンコードしてもよい。
【００８４】
プリンタ２０は、サービスサーバ１０から受信した画像及びアクセス情報に基づいて、写真プリント２６を作成する（Ｓ１１６）。ここで、アクセス情報は、２次元コード２７として、プリント対象の画像２８とともに、同一の用紙に印刷される。
【００８５】
作成された写真プリント２６は、プリント注文したユーザの指定に従って所定の配送先に配送されるか、あるいは、プリント注文ユーザに渡される。
【００８６】
なお、写真プリント２６の作成の追加注文も可能になっており、この場合には、さらにアクセス許可の携帯電話番号ｔｅｌの変更や追加を、プリント注文ユーザの携帯電話４０からサービスサーバ１０に対して、要求することもできる。
【００８７】
次に、第１実施形態において、写真プリント２６の配布先の携帯電話３０に対して画像の付加情報を配信する際の処理の流れについて説明する。
【００８８】
写真プリント２６の配布先ユーザは、その携帯電話３０を２次元コードの読取モードにして、携帯電話３０に写真プリント２６上の２次元コード２７を読み取らせる（Ｓ１２１）。この２次元コード２７が携帯電話３０でデコードされて、デコード結果としてアクセス情報が得られる。
【００８９】
アクセス情報は、第１実施形態において、サービスサーバ１０にネットワーク６０を通じて接続するのに必要なＵＲＬの平文と、画像識別情報ｉｄの暗号文とを含む。ここで、アクセス情報は、例えば「http://oto.jp?id=xyz」である。
【００９０】
携帯電話３０は、携帯電話３０の自己の携帯電話番号をその携帯電話３０の不揮発性メモリ３４８から読み出す（Ｓ１２２）。
【００９１】
そして、携帯電話３０は、アクセス情報を用いて、サービスサーバ１０にアクセスする（Ｓ１２３）。このとき、携帯電話３０は、ＵＲＬの平文、画像識別情報ｉｄの暗号文、及び、携帯電話３０の自己の携帯電話番号を、サービスサーバ１０に送信する。
【００９２】
なお、携帯電話３０の自己の携帯電話番号は、第１の変数である画像識別情報ｉｄの暗号文に付加して、第２の変数としてサービスサーバ１０に送信する態様と、画像識別情報ｉｄの暗号文とは別にしてサービスサーバ１０に送信する態様がある。
【００９３】
携帯電話３０からアクセスされたサーバ１０は、画像識別情報ｉｄの暗号文を復号化し（Ｓ１２４）、復号化した画像識別情報ｉｄに関連付けられたアクセス許可の携帯電話番号ｔｅｌをデータベース１０１ｍから検索し（Ｓ１２５）、検索したアクセス許可の携帯電話番号ｔｅｌと、アクセス元の携帯電話３０が送信した携帯電話番号とを照合する（Ｓ１２６）。
【００９４】
サービスサーバ１０は、照合により両携帯電話番号が一致した場合には、画像識別情報ｉｄに対応する画像の付加情報（音情報、テキスト情報、撮影位置情報など）をデータベース１０１ｍから取り出して、アクセス元の携帯電話３０にネットワーク６０を通じて送信する（Ｓ１２７）。
【００９５】
アクセス元の携帯電話３０に送信された付加情報は、その携帯電話３０で出力される（Ｓ１２８）。例えば、写真プリント２６上の画像に関連する音情報が携帯電話３０のスピーカ３４３によって再生される。また、例えば、写真プリント２６上の画像に関連するテキスト情報が、携帯電話３０のＬＣＤ３４４に表示される。また、ユーザが携帯電話３０の操作パネル３４５によって画面の切替操作を行うと、撮影位置を示す地図が携帯電話３０のＬＣＤ３４４に表示される。
【００９６】
以上、プリント注文時にアクセス許可の携帯電話番号ｔｅｌをプリント注文ユーザの携帯電話４０で入力した場合を例に説明したが、プリント注文ユーザが不特定多数の者に写真プリントを配布して不特定多数の者のアクセスを許可する選択をした場合には、アクセス許可の携帯電話番号ｔｅｌは入力されず、図５（ｄ）に示すように、ＵＲＬの平文及び画像識別情報ｉｄの暗号文とともに、アクセス許可の携帯電話番号ｔｅｌの指定がないこと（「ｔｅｌなし」）を示す情報が２次元コード２７に組み込まれて写真プリント２６に記録され、写真プリント２６の配布先ユーザの携帯電話３０からは自己の携帯電話番号がサーバ１０に通知されず、ＵＲＬの平文と画像識別情報ｉｄの暗号文がサービスサーバ１０に送信される（Ｓ１２３）。そして、サービスサーバ１０では、画像識別情報ｉｄの復号化を行った後（Ｓ１２４）、アクセス許可の携帯電話番号ｔｅｌの検索（Ｓ１２５）、携帯電話番号の照合（Ｓ１２６）を行わないで、画像識別情報ｉｄに対応する付加情報をダウンロードする（Ｓ１２７）。ただし、携帯電話３０から「ｔｅｌなし」が通知されたとしても、データベース１０１ｍに該当する画像識別情報ｉｄに対応するアクセス許可の携帯電話番号ｔｅｌが登録されていた場合には、携帯電話３０のアクセスを拒否する。
【００９７】
なお、携帯電話３０から自己の携帯電話番号(端末識別子)を送信する際に、自己の携帯電話番号を暗号化して送信することも可能である。この場合、その暗号化された携帯電話番号は、サービスサーバ１０の復号化手段１０１ｈによって復号化される。
【００９８】
次に、第２実施形態について説明する。第２実施形態では、図５（ｂ）に示すように、２次元コード２７として、サービスサーバ１０への接続に必要なＵＲＬの平文に対して、画像識別情報ｉｄの暗号文と、アクセス許可の携帯電話番号ｔｅｌの暗号文とが付加されて、写真プリント２６に記録される。写真プリント２６の配布先ユーザの携帯電話３０が２次元コードを読み取ってサービスサーバ１０にアクセスするときには、ＵＲＬの平文と、画像識別情報ｉｄの暗号文と、アクセス許可の携帯電話番号ｔｅｌの暗号文と、携帯電話３０に予め記憶された自己の携帯電話番号とが、サービスサーバ１０に送信される。
【００９９】
図８は、第２実施形態におけるサービスサーバ１０の概念的な構成を示す概略ブロック図である。図８において、サービスサーバ１０は、主として、注文情報受信手段１０２ａ、画像識別情報発行手段１０２ｂ、暗号化手段１０２ｃ、アクセス情報生成手段１０２ｄ、プリント指示情報作成手段１０２ｅ、登録手段１０２ｆ、アクセス情報受信手段１０２ｇ、復号化手段１０２ｈ、検索手段１０２ｉ、照合手段１０２ｊ、配信手段１０２ｋ、及び、データベース１０２ｍによって構成されている。
【０１００】
注文情報受信手段１０２ａは、注文情報（プリント対象の画像、その画像の付加情報、及び、その画像のアクセス許可の携帯電話番号ｔｅｌを含む）を受信する。画像識別情報発行手段１０２ｂは、画像識別情報ｉｄを発行する。暗号化手段１０２ｃは、サービスサーバ１０の暗号鍵を用いて、画像識別情報ｉｄ及びアクセス許可の携帯電話番号ｔｅｌを暗号化する。アクセス情報生成手段１０２ｄは、ＵＲＬの平文に、画像識別情報ｉｄの暗号文とアクセス許可の携帯電話番号ｔｅｌの暗号文とを付加して、アクセス情報を生成する。プリント指示情報作成手段１０２ｅは、プリント対象の画像とともにアクセス情報をプリンタ２０により所定のプリント媒体に記録させる指示情報を作成する。この指示情報にしたがってプリンタ２０は写真プリント２６を作成する。登録手段１０２ｆは、プリント対象の画像及び付加情報を、画像識別情報ｉｄと関連付けてデータベース１０２ｍに登録する。
【０１０１】
アクセス情報受信手段１０２ｇは、写真プリント２６の配布先ユーザの携帯電話３０で
写真プリント２６上の２次元コード２７が読み取られたとき、ＵＲＬの平文、画像識別情報ｉｄの暗号文、アクセス許可の携帯電話番号ｔｅｌの暗号文、及び、アクセス元の携帯電話３０に予め登録されていた自己の携帯電話番号を、アクセス元の携帯電話３０から受信する。復号化手段１０２ｈは、サービスサーバ１０の復号鍵を用いて、画像識別情報ｉｄの暗号文、及び、アクセス許可の携帯電話番号ｔｅｌの暗号文を復号化する。検索手段１０２ｉは、復号化した画像識別情報ｉｄに関連付けられた付加情報をデータベース１０２ｍから検索する。照合手段１０２ｊは、復号化したアクセス許可の携帯電話番号ｔｅｌと、アクセス元の携帯端末３０から受信した携帯電話番号とを照合する。配信手段１０２ｋは、両携帯電話番号が一致した場合には復号化した画像識別情報ｉｄに対応する画像の付加情報をアクセス元の携帯電話３０に送信する一方で、不一致の場合には携帯電話３０からのアクセスを拒否する。
【０１０２】
図８に示した第２実施形態の概念的構成のサービスサーバ１０の構成要素と図２に例示した具体例のサービスサーバ１０の構成要素との対応関係を簡単に説明すると、図８の注文情報受信手段１０２ａ、アクセス情報受信手段１０２ｇ及び配信手段１０２ｋは主として図２の通信部１１によって構成され、図８の画像識別情報発行手段１０２ｂ、暗号化手段１０２ｃ、アクセス情報生成手段１０２ｄ、プリント指示情報作成手段１０２ｅ、登録手段１０２ｆ、復号化手段１０２ｈ、検索手段１０２ｉ及び照合手段１０２ｊは主として図２の制御部１２によって構成されている。
【０１０３】
以上説明した第２実施形態のサービスサーバ１０による具体的なサービスの流れについて、図９を用いて詳細に説明する。
【０１０４】
プリント注文ユーザは、携帯電話４０で被写体を撮影し（Ｓ２０１）、写真プリント２６の注文操作を行い（Ｓ２０２）、所定の送信操作を行う。そうすると、注文情報が携帯電話４０からネットワーク６０を通じてサービスサーバ１０に送信される（Ｓ２０３）。ここで、注文情報には、画像、付加情報（音情報、テキスト情報、撮影位置情報等）、及び、アクセス許可の携帯電話番号ｔｅｌが含まれている。プリント注文ユーザが、写真プリント２６の作成とともに写真プリント２６の配送を要求する操作をした場合には、さらに、写真プリント２６の配布先の住所及び氏名が注文情報に含まれている。
【０１０５】
なお、プリント注文は注文受付端末５０で受け付けることもでき、この場合には、注文受付端末５０から注文情報がサービスサーバ１０に送信される。
【０１０６】
注文情報を受信したサービスサーバ１０では、プリント対象の各画像に対応する画像識別情報ｉｄを発行して（Ｓ２１１）、画像識別情報ｉｄ及びアクセス許可の携帯電話番号ｔｅｌを暗号化し（Ｓ２１２）、ＵＲＬの平文、画像識別情報ｉｄの暗号文及びアクセス許可の携帯電話番号ｔｅｌの暗号文を含むアクセス情報を生成する（Ｓ２１３）。
【０１０７】
第２実施形態において、アクセス情報は、例えば、「http://oto.jp?id=xyz&tel=ABCDEFGHIJK」である。この例において、「http://oto.jp」は、ＵＲＬの平文であり、通信プロトコル名（「http」）とサービスサーバ１０のドメイン名（「oto.jp」）とを含んで構成されている。また、「xyz」は画像識別情報ｉｄの暗号文であり、接続したサービスサーバ１０に引き渡す第１の変数の値としてアクセス情報に組み込まれている。また、「ABCDEFGHIJK」はアクセス許可の携帯電話番号ｔｅｌの暗号文であり、接続したサービスサーバ１０に引き渡す第２の変数の値としてアクセス情報に組み込まれている。
【０１０８】
次に、サービスサーバ１０は、携帯電話４０から受信した注文情報のうち画像及び付加情報を、サービスサーバ１０で発行した画像識別情報ｉｄと関連付けて、データベース１０２ｍに登録する（Ｓ２１４）。なお、第２実施形態では、アクセス許可の携帯電話番号ｔｅｌをデータベース１０２ｍで管理する必要はない。
【０１０９】
そして、画像及びアクセス情報がサービスサーバ１０からプリンタ２０に送信されて（Ｓ２１５）、プリンタ２０により写真プリント２６が作成される（Ｓ２１６）。ここで、アクセス情報は、２次元コード２７として、プリント対象の画像２８とともに、同一の用紙に印刷される。
【０１１０】
次に、第２実施形態において、写真プリント２６の配布先の携帯電話３０に対して画像の付加情報を配信する際の処理の流れについて説明する。
【０１１１】
写真プリント２６の配布先ユーザは、その携帯電話３０を２次元コードの読取モードにして、携帯電話３０に写真プリント２６上の２次元コード２７を読み取らせる（Ｓ２２１）。
【０１１２】
アクセス情報は、第２実施形態において、ＵＲＬの平文と、画像識別情報ｉｄの暗号文と、アクセス許可の携帯電話番号ｔｅｌの暗号文とを含む。例えば、「http://oto.jp?id=xyz&tel=ABCDEFGHIJK」である。
【０１１３】
携帯電話３０は、携帯電話３０の自己の携帯電話番号をその携帯電話３０の不揮発性メモリ３４８から読み出す（Ｓ２２２）。
【０１１４】
そして、携帯電話３０は、アクセス情報を用いてサービスサーバ１０にアクセスする（Ｓ２２３）。このとき、携帯電話３０は、ＵＲＬの平文、画像識別情報ｉｄの暗号文、アクセス許可の携帯電話番号ｔｅｌの暗号文、及び、携帯電話３０の自己の携帯電話番号を、サービスサーバ１０に送信する。
【０１１５】
なお、携帯電話３０の自己の携帯電話番号は、第１の変数である画像識別情報ｉｄの暗号文及び第２の変数であるアクセス許可の携帯電話番号ｔｅｌの暗号文に付加して、第３の変数としてサービスサーバ１０に送信する態様と、第１及び第２の変数とは別にしてサービスサーバ１０に送信する態様がある。
【０１１６】
携帯電話３０からアクセスされたサービスサーバ１０は、画像識別情報ｉｄの暗号文とアクセス許可の携帯電話番号ｔｅｌの暗号文とを復号化する（Ｓ２２４）。
【０１１７】
そして、復号化したアクセス許可の携帯電話番号ｔｅｌと、アクセス元の携帯電話３０に予め登録されていた自己の携帯電話番号とを照合する（Ｓ２２６）。
【０１１８】
サービスサーバ１０は、照合により両携帯電話番号が一致した場合には、画像識別情報ｉｄに対応する画像の付加情報（音情報、テキスト情報、撮影位置情報など）をデータベース１０２ｍから取り出して、アクセス元の携帯電話３０にネットワーク６０を通じて送信する（Ｓ２２７）。
【０１１９】
アクセス元の携帯電話３０に送信された付加情報は、その携帯電話３０で出力される（Ｓ２２８）。
【０１２０】
なお、携帯電話３０から自己の携帯電話番号(端末識別子)を送信する際に、自己の携帯電話番号を暗号化して送信することも可能である。この場合、その暗号化された携帯電話番号は、サービスサーバ１０の復号化手段１０２ｈによって復号化される。
【０１２１】
次に、第３実施形態について説明する。第３実施形態では、図５（ｃ）に示すように、２次元コード２７として、サービスサーバ１０への接続に必要なＵＲＬの平文に対して、画像識別情報ｉｄの暗号文と、アクセス許可の携帯電話番号ｔｅｌの暗号文とが付加されて、写真プリント２６に記録される。写真プリント２６の配布先ユーザの携帯電話３０が２次元コードを読み取ってサービスサーバ１０にアクセスするときには、携帯電話３０は、写真プリント２６上の２次元コードを読み取って、アクセス許可の携帯電話番号ｔｅｌの暗号文を復号化し、復号化したアクセス許可の携帯電話番号ｔｅｌと携帯電話３０に予め記憶された自己の携帯電話番号とが一致した場合のみ、サービスサーバ１０にアクセスする。
【０１２２】
図１０は、第３実施形態のサービスサーバ１０の概念的な構成を示す概略ブロック図である。図１０において、サービスサーバ１０は、主として、注文情報受信手段１０３ａ、画像識別情報発行手段１０３ｂ、暗号化手段１０３ｃ、アクセス情報生成手段１０３ｄ、プリント指示情報作成手段１０３ｅ、登録手段１０３ｆ、アクセス情報受信手段１０３ｇ、復号化手段１０３ｈ、検索手段１０３ｉ、配信手段１０３ｋ、及び、データベース１０３ｍによって構成されている。
【０１２３】
注文情報受信手段１０３ａは、注文情報（プリント対象の画像、その画像の付加情報、及び、その画像のアクセス許可の携帯電話番号ｔｅｌの暗号文を含む）を受信する。画像識別情報発行手段１０３ｂは、画像識別情報ｉｄを発行する。暗号化手段１０３ｃは、サービスサーバ１０の暗号鍵を用いて、画像識別情報ｉｄを暗号化する。アクセス情報生成手段１０３ｄは、ＵＲＬの平文に、画像識別情報ｉｄの暗号文とアクセス許可の携帯電話番号ｔｅｌの暗号文とを付加して、アクセス情報を生成する。プリント指示情報作成手段１０３ｅは、プリント対象の画像とともにアクセス情報をプリンタ２０により所定のプリント媒体に記録させる指示情報を作成する。この指示情報にしたがってプリンタ２０は写真プリント２６を作成する。登録手段１０３ｆは、プリント対象の画像及び付加情報を、画像識別情報ｉｄと関連付けてデータベース１０３ｍに登録する。
【０１２４】
アクセス情報受信手段１０３ｇは、写真プリント２６の配布先ユーザの携帯電話３０で写真プリント２６上の２次元コード２７が読み取られたとき、ＵＲＬの平文、画像識別情報ｉｄの暗号文を含むアクセス情報をアクセス元の携帯電話３０から受信する。復号化手段１０３ｈは、サービスサーバ１０の復号鍵を用いて、画像識別情報ｉｄの暗号文を復号化する。検索手段１０３ｉは、復号化した画像識別情報ｉｄに関連付けられた付加情報をてデータベース１０３ｍから検索する。配信手段１０３ｋは、復号化した画像識別情報ｉｄに対応する画像の付加情報をアクセス元の携帯電話３０に送信する。
【０１２５】
図１０に示した第３実施形態の概念的構成のサービスサーバ１０の構成要素と図２に例示した具体例のサービスサーバ１０の構成要素との対応関係を簡単に説明すると、図１０の注文情報受信手段１０３ａ、アクセス情報受信手段１０３ｇ及び配信手段１０３ｋは主として図２の通信部１１によって構成され、図１０の画像識別情報発行手段１０３ｂ、暗号化手段１０３ｃ、アクセス情報生成手段１０３ｄ、プリント指示情報作成手段１０３ｅ、登録手段１０３ｆ、復号化手段１０３ｈ、及び、検索手段１０３ｉは主として図２の制御部１２によって構成されている。
【０１２６】
また、プリント注文ユーザの携帯電話４０は、アクセス許可の携帯電話番号ｔｅｌを暗号化する暗号化手段４０３ｃを有している。写真プリントの配布先ユーザの携帯電話３０（アクセス元の携帯電話である）は、アクセス許可の携帯電話番号ｔｅｌの暗号文を復号化する復号化手段３０３ｈと、復号化したアクセス許可の携帯電話番号ｔｅｌと携帯端末３０に予め記憶されている自己の携帯電話番号とを照合する照合手段３０３ｊと、照合で両携帯電話番号が一致した場合にはサービスサーバ１０にアクセスする一方で、不一致の場合にはサービスサーバ１０へのアクセスを行わないように制御するアクセス制御手段３０３とを有している。
【０１２７】
なお、図１０の概念的構成の携帯電話３０、４０における暗号化手段４０３ｃ、復号化手段３０３ｈ、照合手段３０３ｊ及びアクセス制御手段３０３は、具体例を示す図３の携
帯電話３０、４０の制御部３４９によって構成されている。
【０１２８】
以上説明した第３実施形態のサービスサーバ１０及び携帯電話３０、４０による具体的なサービスの流れについて、図１１を用いて詳細に説明する。
【０１２９】
プリント注文ユーザは、携帯電話４０で被写体を撮影し（Ｓ３０１）、写真プリント２６の注文操作を行う（Ｓ３０２）。
【０１３０】
写真プリント２６の注文操作において、プリント注文ユーザは、プリント対象の画像ごとにアクセス許可の携帯電話番号を入力できるようになっている。アクセス許可の携帯電話番号が入力されると、携帯電話４０は、アクセス許可の携帯電話番号ｔｅｌを暗号化する（Ｓ３０３）。
【０１３１】
ところで、アクセス許可の携帯電話番号ｔｅｌを復号化する復号鍵は、この復号鍵を添付した電子メールをプリント注文ユーザの携帯電話４０から写真プリント２６の配布先ユーザの携帯電話３０に送信することにより、配布先ユーザの携帯電話３０に渡すようにする方法がある。ここで、電子メールの配信は、ポップ式でもプッシュ式でもよい。配布先ユーザの携帯電話３０は、取得した復号鍵を携帯電話３０の不揮発性メモリ３４８に記憶する。
【０１３２】
一方で、公開暗号鍵方式を用いる場合、プリント注文ユーザの携帯電話４０が写真プリント２６の配布先ユーザの携帯電話３０の公開鍵を予め取得しておき、この配布先ユーザの携帯電話３０の公開鍵を暗号鍵としてアクセス許可の携帯電話番号ｔｅｌを暗号化するようにしてもよい。この場合、写真プリント２６の配布先ユーザの携帯電話３０では、その公開鍵に対応する秘密鍵を用いてアクセス許可の携帯電話番号の暗号文を復号化する。
【０１３３】
プリント注文ユーザの携帯電話４０で所定の送信操作が行われると、注文情報が携帯電話４０からネットワーク６０を通じてサービスサーバ１０に送信される（Ｓ３０４）。ここで、注文情報には、画像、付加情報（音情報、テキスト情報、撮影位置情報等）、及び、アクセス許可の携帯電話番号ｔｅｌの暗号文が含まれている。プリント注文ユーザが、写真プリント２６の作成とともに写真プリント２６の配送を要求する操作をした場合には、さらに、写真プリント２６の配布先の住所及び氏名が注文情報に含まれている。
【０１３４】
注文情報を受信したサービスサーバ１０では、プリント対象の各画像に対応する画像識別情報ｉｄを発行し（Ｓ３１１）、画像識別情報ｉｄをサーバ１０の暗号鍵を用いて暗号化し（Ｓ３１２）、ＵＲＬの平文、画像識別情報ｉｄの暗号文及びアクセス許可の携帯電話番号ｔｅｌの暗号文を含むアクセス情報を生成する（Ｓ３１３）。
【０１３５】
第３実施形態において、アクセス情報は、例えば、「http://oto.jp?id=xyz&tel=ABCDEFGHIJK」である。この例において、「http://oto.jp」は、ＵＲＬの平文である。また、「xyz」は、サービスサーバ１０で暗号化した、画像識別情報ｉｄの暗号文である。また
、「ABCDEFGHIJK」は、プリント注文ユーザの携帯電話４０で暗号化した、アクセス許可の携帯電話番号ｔｅｌの暗号文である。
【０１３６】
次に、サービスサーバ１０は、携帯電話４０から受信した注文情報のうち画像及び付加情報を、サービスサーバ１０で発行した画像識別情報ｉｄと関連付けて、データベース１０３ｍに登録する（Ｓ３１４）。なお、第３実施形態では、第２実施形態と同様に、アクセス許可の携帯電話番号ｔｅｌをデータベース１０３ｍで管理する必要はない。
【０１３７】
そして、画像及びアクセス情報がサービスサーバ１０からプリンタ２０に送信されて（
Ｓ３１５）、プリンタ２０により写真プリント２６が作成される（Ｓ３１６）。ここで、アクセス情報は、２次元コード２７として、プリント対象の画像２８とともに同一の用紙に印刷される。
【０１３８】
次に、第３実施形態において、写真プリント２６の配布先の携帯電話３０に対して画像の付加情報を配信する際の処理の流れについて説明する。
【０１３９】
写真プリント２６の配布先ユーザは、その携帯電話３０を２次元コードの読取モードにして、携帯電話３０に写真プリント２６上の２次元コード２７を読み取らせる（Ｓ３２１）。
【０１４０】
アクセス情報は、第３実施形態において、ＵＲＬの平文と、画像識別情報ｉｄの暗号文と、アクセス許可の携帯電話番号ｔｅｌの暗号文とを含む。例えば、「http://oto.jp?id=xyz&tel=ABCDEFGHIJK」である。
【０１４１】
携帯電話３０は、アクセス許可の携帯電話番号ｔｅｌの暗号文を復号化し（Ｓ３２２）、携帯電話３０の自己の携帯電話番号をその携帯電話３０の不揮発性メモリ３４８から読み出して（Ｓ３２３）、復号化したアクセス許可の携帯電話番号ｔｅｌと自己の携帯電話番号とを照合する（Ｓ３２４）。照合して両携帯電話番号が一致した場合には、アクセス情報を用いてサービスサーバ１０にアクセスする（Ｓ３２５）。このとき、携帯電話３０は、ＵＲＬの平文及び画像識別情報ｉｄの暗号文をサービスサーバ１０に送信する。アクセス許可の携帯電話番号ｔｅｌの暗号文は、必ずしもサービスサーバ１０へ送信する必要はないが、読み取られたアクセス情報の全体をサービスサーバ１０側で元のアクセス情報と照合するために送信してもよい。
【０１４２】
携帯電話３０から画像識別情報ｉｄの暗号文を受信したサービスサーバ１０は、画像識別情報ｉｄの暗号文を復号化する（Ｓ３２６）。そして、復号化した画像識別情報ｉｄに対応する画像の付加情報（音情報、テキスト情報、撮影位置情報など）をデータベース１０３ｍから取り出して、アクセス元の携帯電話３０にネットワーク６０を通じて送信する（Ｓ３２７）。
【０１４３】
アクセス元の携帯電話３０に送信された付加情報は、その携帯電話３０で出力される（Ｓ３２８）。
【０１４４】
［配信態様の選択］
前述の第１実施形態乃至第３実施形態のサービスシステムにおいて、コンテンツの配信サービスを受けられる対象者は、第１に、特定の一人、第２に、特定の複数の人、第３に、不特定多数の人である。
【０１４５】
言い換えると、同じ２次元コードが記録された１枚又は複数枚の写真プリントが不特定多数の人に渡るような場合でも、限定された一人のみがコンテンツの配信サービスを受けられるように制限する第１の配信態様、限定された複数の人のみがコンテンツの配信サービスを受けられるように制限する第２の配信態様、及び、限定されない多数の人がコンテンツの配信サービスを受けられる第３の配信態様の中から、発注者は好みの配信態様を選択して注文することができる。
【０１４６】
具体的には、発注者がその発注者の携帯電話４０において、配信態様の指定を入力すると（図７のＳ１０２、図９のＳ２０２、図１１のＳ３０２）、発注者によって指定された配信態様を示す配信態様指定情報が、注文情報の一部として、携帯電話４０からサービスサーバ１０に対して送信される（図７のＳ１０３、図９のＳ２０３、図１１のＳ３０４）。このような配信態様指定情報は、サービスサーバ１０の注文情報受信手段（図６の１０１ａ、図８の１０２ａ、図１０の１０３ａ）によって注文情報の一部として受信され、サービスサーバ１０の登録手段（図６の１０１ｆ、図８の１０２ｆ、図１０の１０３ｆ）によって注文情報の一部として画像識別情報ｉｄと関連付けられてデータベース（図６の１０１ｍ、図８の１０２ｍ、図１０の１０３ｍ）に登録される。
【０１４７】
以下では、特定複数の人を対象者とする第２の配信態様について説明する。なお、第２の配信態様は、第１の配信態様と原理的にほぼ同じであり、第１の配信態様については既に説明してあるので、このような第１の配信態様と異なる点についてのみ説明する。
【０１４８】
まず、図６及び図７に示す第１実施形態のサービスシステムにおける第２の配信態様について説明する。
【０１４９】
サービスサーバ１０の登録手段１０１ｆは、画像識別情報ｉｄと携帯電話番号リストとを関連付けてデータベース１０１ｍに登録する（図７のＳ１１４）。ここで、携帯電話番号リストは、複数のアクセス許可の携帯電話番号ｔｅｌからなる。言い換えると、ひとつの画像識別情報ｉｄに対して複数のアクセス許可の携帯電話番号ｔｅｌが関連付けられてなる携帯電話番号リストが、データベース１０１ｍに登録される。
【０１５０】
例えば、発注者が、同じ画像２８と同じ２次元コード２７を有する複数枚の写真プリント２６を注文したとする。ここで、発注者が、発注者の携帯電話４０にて、写真プリントの配布先である複数のメンバの携帯電話番号を入力した場合、これらの複数のメンバの携帯電話番号が携帯電話番号リストとしてデータベース１０１ｍに登録される。例えば、図１２に示されるように、３つのアクセス許可の携帯電話番号（ｔｅｌ＝Ｘ，Ｙ，Ｚ）が、ひとつの音ｉｄ＝Ａに関連付けられて、データベース１０１ｍに登録される。
【０１５１】
写真プリントを受け取ったメンバが、写真プリント２６上の２次元コード２７を携帯電話３０に読み取らせると(図７のＳ１２１)、その携帯電話３０からサービスサーバ１０に対してアクセス情報が送信され、そのアクセス情報がサービスサーバ１０のアクセス情報受信手段１０１ｇによって受信される（図７のＳ１２３）。
【０１５２】
サービスサーバ１０の復号化手段１０１ｈは、アクセス情報に含まれている画像識別情報ｉｄの暗号文を復号化する（図７のＳ１２４）。
【０１５３】
サービスサーバ１０の検索手段１０１ｉは、携帯電話３０から取得した画像識別情報ｉｄに対応する携帯電話番号リストをデータベース１０１ｍから検索する(図７のＳ１２５)。
【０１５４】
サービスサーバ１０の照合手段１０１ｊは、携帯電話３０から取得した電話番号が、検索手段１０１ｉによって検索した携帯電話番号リストの中に含まれているか否かを判定する(図７のＳ１２６)。
【０１５５】
サービスサーバ１０の配信手段１０１ｋは、携帯電話３０から取得した電話番号が携帯電話番号リスト中に含まれている場合のみ、携帯電話３０に対して、画像識別情報ｉｄに対応する付加情報を配信する(図７のＳ１２７)。
【０１５６】
例えば、図１２に示すように、電話番号Ｘが付与された第１ユーザの携帯電話３０Ｘ、電話番号Ｙが付与された第２ユーザの携帯電話３０Ｙ、及び、電話番号Ｚが付与された第３ユーザの携帯電話３０Ｚに、写真プリント２６上の同一の２次元コード２７をそれぞれ読み取らせたとものとする。なお、写真プリント２６の２次元コードには、配信情報としての音情報を識別する音ｉｄ＝Ａが含まれているので、第１ユーザの携帯電話３０Ｘからサービスサーバ１０に対して音ｉｄ＝Ａ及び電話番号Ｘが送信され、第２ユーザの携帯電話３０Ｙからサービスサーバ１０に対して音ｉｄ＝Ａ及び電話番号Ｙが送信され、第３ユーザの携帯電話３０Ｙからサービスサーバ１０に対して音ｉｄ＝Ａ及び電話番号Ｚが送信される。なお、データベース１０１ｍには、ひとつの音ｉｄ＝Ａに対して３つのアクセス許可の携帯電話番号（ｔｅｌ＝Ｘ，Ｙ，Ｚ）が関連付けられて登録されている。したがって、サービスサーバ１０から３つの携帯電話３０Ｘ、３０Ｙ、３０Ｚに対して、音ｉｄ＝Ａに対応する音情報が配信される。
【０１５７】
その一方で、電話番号Ｐが付与された第４ユーザの携帯電話３０Ｐに、写真プリント２６上の２次元コード２７を読み取らせたとしても、データベース１０１ｍには、音ｉｄ＝Ａに関連付けて電話番号Ｐを登録していないので、第４ユーザの携帯電話３０Ｐのアクセスは拒否される。
【０１５８】
次に、図８及び図９に示す第２実施形態のサービスシステムにおける第２の配信態様について説明する。
【０１５９】
サービスサーバ１０のアクセス情報生成手段１０２ｄは、暗号化された画像識別情報ｉｄと暗号化された携帯電話番号リストとを含むアクセス情報を生成する(図９のＳ２１３)。
【０１６０】
ここで、携帯電話番号リストは、複数のアクセス許可の携帯電話番号ｔｅｌからなる。言い換えると、アクセス情報は、ひとつの画像識別情報ｉｄに対して複数のアクセス許可の携帯電話番号ｔｅｌが関連付けられてなるリストを含む。
【０１６１】
サービスサーバ１０のプリント指示情報作成手段１０２ｅは、アクセス情報を画像とともにプリント媒体に記録させる指示情報を作成する(図９のＳ２１５)。そして、プリンタ２０によって、アクセス情報が２次元コード２７として記録された写真プリント２６が作成される(図９のＳ２１６)。
【０１６２】
写真プリント２６を受け取ったメンバが、写真プリント２６上の２次元コード２７を携帯電話３０に読み取らせると(図９のＳ２２１)、その携帯電話３０の不揮発性メモリ（図３の３４８）から自己の携帯電話番号が読み出され(図９のＳ２２２)、その自己の携帯電話番号がアクセス情報に付加されて、携帯電話３０からサービスサーバ１０に対して送信される（図９のＳ２２３）。
【０１６３】
サービスサーバ１０の復号化手段１０２ｈは、アクセス情報に含まれている画像識別情報ｉｄの暗号文及び携帯電話番号リストの暗号文を復号化する（図９のＳ２２４）。
【０１６４】
サービスサーバ１０の照合手段は、携帯電話３０に予め記憶されていた携帯電話番号であって携帯電話３０から取得した携帯電話番号が、写真プリント２６に暗号化して記録されていた携帯電話番号リストであって携帯電話３０から取得した携帯電話番号リスト中に含まれているか否かを判定する（図９のＳ２２６）。
【０１６５】
サービスサーバ１０の配信手段１０２ｋは、携帯電話３０から取得した電話番号が携帯電話番号リスト中にアクセス許可の携帯電話番号として含まれている場合のみ、携帯電話３０に対して画像識別情報ｉｄに対応する付加情報を配信する(図９のＳ２２７)。
【０１６６】
次に、図１０及び図１１に示す第３実施形態のサービスシステムにおける第２の配信態様について説明する。
【０１６７】
サービスサーバ１０のアクセス情報生成手段１０３ｄは、暗号化された画像識別情報ｉｄと暗号化された携帯電話番号リストとを含むアクセス情報を生成する (図１１のＳ３１３)。サービスサーバ１０のプリント指示情報作成手段１０３ｅは、アクセス情報を画像とともにプリント媒体に記録させる指示情報を作成する(図１１のＳ３１５)。そして、プリンタ２０によって、アクセス情報が２次元コード２７として記録された写真プリント２６が作成される (図１１のＳ３１６)。
【０１６８】
写真プリントを受け取ったメンバが、写真プリント２６上の２次元コード２７を携帯電話３０に読み取らせると(図１１のＳ３２１)、携帯電話３０の復号化手段３０３ｈは、アクセス情報に含まれている携帯電話番号リストの暗号文を復号化する（図１１のＳ３２２）。また、携帯電話３０の照合手段１０３ｈは、携帯電話３０の不揮発性メモリ（図３の３４８）から自己の携帯電話番号を読み出して(図１１のＳ３２３)、その自己の携帯電話番号が携帯電話番号リストに含まれているか否かを判定する(図１１のＳ３２４)。
【０１６９】
携帯電話３０のアクセス制御手段３０３は、自己の携帯電話番号が携帯電話番号リストに含まれていた場合のみ、サービスサーバにアクセスする制御を行い(図１１のＳ３２５)、自己の携帯電話番号が携帯電話番号リストに含まれていなかった場合には、アクセス拒否を示す画面を携帯電話３０のＬＣＤ（図３の３４４）に表示する。
【０１７０】
図１３（ａ）は、アクセス許可の携帯電話番号ｔｅｌをひとつ有するアクセス情報である。詳細には、ひとつの携帯電話番号ｔｅｌ＝Ｘからなる携帯電話番号リスト２７３１が、画像識別情報ｉｄ＝Ａに関連付けられ、暗号化されている。その一方で、図１３（ｂ）は、アクセス許可の携帯電話番号ｔｅｌを複数有するアクセス情報である。詳細には、３つの携帯電話番号ｔｅｌ＝Ｘ、Ｙ，Ｚからなる携帯電話番号リスト２７３２が、画像識別情報ｉｄ＝Ａに関連付けられ、暗号化されている。
【０１７１】
ここで、図１３（ａ）に示す携帯電話番号リスト２７３１のデータ長Ｌｘと、図１３（ｂ）に示す携帯電話番号リスト２７３１のデータ長Ｌｘと、図１３（ｂ）に示す携帯電話番号リスト２７３２のデータ長Ｌｘｙｚは同じである。すなわち、サービスサーバ１０の暗号化手段１０２ｃは、暗号後のデータ長が一定となるように携帯電話番号リストを暗号化する。したがって、写真プリント上の２次元コードを携帯電話に普通の方法で読み取らせてみても、メンバの電話番号を第３者は知ることができず、また、メンバが何人いるかについても第３者は知ることができない。
【０１７２】
［端末識別子の追加登録］
前述のように、特定の一又は複数の人に対してのみコンテンツを配信するように制限する配信態様では、電話番号が未登録である携帯電話に写真プリント上の２次元コードを読み取らせてみても、原則として、その携帯電話からサービスサーバ１０に対するコンテンツ配信に係るアクセスが拒否される。このようなアクセスの拒否は、不測の第３者によるアクセスを排除するためには必要なことである。また、電話番号が登録済の携帯電話であっても、その携帯電話が写真プリント上の２次元コードを読み取ることができない場合がある。例えば、写真プリントには、２次元コードとしてＱＲコード（登録商標）が記録されているがユーザの携帯電話がＱＲコードに対応していない場合である。
【０１７３】
そこで、前述の第１実施形態におけるサービスサーバ１０は、特定の条件に合致するか否かを判定し、特定の条件に合致する場合には、新たにアクセスの許可を求めるユーザの携帯電話の電話番号を追加登録するようになっている。
【０１７４】
具体的には、特定の人の承諾を条件に、新たにアクセスの許可を求めるユーザの電話番号を追加登録して、アクセスを許可する。第１の例として、発注者にアクセス許可の承諾を求めてアクセス許可される態様があり、第２の例として、グループ内のメンバにアクセス許可の承諾を求めてアクセス許可される態様がある。
【０１７５】
図１４は、発注者Ａにアクセス許可の承諾を求める場合の処理の一例の流れを示す説明図である。
【０１７６】
ここで、ユーザＢの携帯電話３０Ｂの電話番号はサービスサーバ１０のデータベースに予め登録されている一方で、ユーザＣの携帯電話３０Ｃの電話番号はサービスサーバ１０のデータベースに未登録であるものとする。また、ユーザＢの携帯電話３０Ｂは、図４の写真プリント２６上の２次元コード２７を読み取る機能を有していないものとする。
【０１７７】
そして、ユーザＢが、その友人であるユーザＣの携帯電話３０Ｃに写真プリント２６上の２次元コード２７を読み取らせたものとする。そうすると、図１５に示すアクセス拒否画面３４４１がユーザＣの携帯電話３０Ｃにて表示される（Ｓ５２）。
【０１７８】
図１５のアクセス拒否画面３４４１は、発注者Ａへのメッセージが入力されるメッセージ入力フィールド３４５３、「Ｙｅｓ」ボタン３４５１、及び、「Ｎｏ」ボタン３４５２を含んで構成されている。
【０１７９】
ユーザＣの携帯電話３０Ｃにおいて、メッセージ入力フィールド３４５３に発注者Ａへのメッセージが入力されるとともに、「Ｙｅｓ」ボタン３４５１がクリックされると（Ｓ５４）、ユーザＣの携帯電話３０Ｃから、サービスサーバ１０に対して、ユーザＣの携帯電話３０Ｃの電話番号及びメッセージが送信され（Ｓ５６）、サービスサーバ１０から、発注者Ａの携帯電話４０Ａに対して、メッセージ付きでアクセス許可の問い合わせが行なわれる（Ｓ５８）。この問い合わせは電子メールを用いて行なわれるようにしてもよい。発注者Ａの携帯電話４０Ａには、ユーザＣの携帯電話３０Ｃで入力された発注者Ａ宛のメッセージが表示される（Ｓ６０）。
【０１８０】
発注者Ａの携帯電話Ａにおいて、所定の承諾操作が行なわれると（Ｓ６２）、発注者Ａの携帯電話４０Ａから、サービスサーバ１０に対して、承諾通知が送信され（Ｓ６４）、ユーザＣの携帯電話３０Ｃの電話番号が、アクセス許可の携帯電話番号として、サービスサーバ１０のデータベースに追加登録され（Ｓ６６）、サービスサーバ１０から、ユーザＣの携帯電話３０Ｃに対して、アクセス許可通知が送信される（Ｓ６８）。
【０１８１】
なお、ユーザＣの携帯電話３０Ｃの電話番号は、既に説明したように、写真プリント上の画像及びその画像に対応するコンテンツと関連付けられてデータベースに登録される。例えば、最初にユーザＣの携帯電話３０Ｃからアクセス情報を受信したときにそのアクセス情報に含まれていた画像識別情報ｉｄ（「コンテンツ識別情報」ともいう）を用いて、電話番号と画像及びコンテンツとの関連付けを行なう。
【０１８２】
その後、ユーザＣの携帯電話３０Ｃに写真プリント２６上の２次元コード２７を読み取らせると、ユーザＣの携帯電話３０Ｃから、サービスサーバ１０に対して、アクセス情報が送信されて、サービスサーバ１０から、ユーザＣの携帯電話３０Ｃに対して、写真プリント２６上の画像に関連する付加情報が配信され、その付加情報がユーザＣの携帯電話３０Ｃにおいて再生される。
【０１８３】
図１６は、グループ内のメンバにアクセス許可を求める場合の処理の一例の流れを示す説明図である。
【０１８４】
ここで、ユーザＢの携帯電話３０Ｂの電話番号はサービスサーバ１０のデータベースに予め登録されている一方で、ユーザＣの携帯電話３０Ｃの電話番号はサービスサーバ１０のデータベースに未登録であるものとする。また、ユーザＢの携帯電話３０Ｂは、図４の写真プリント２６上の２次元コード２７を読み取る機能を有していないものとする。
【０１８５】
そして、ユーザＢが、その友人であるユーザＣの携帯電話３０Ｃに写真プリント２６上の２次元コード２７を読み取らせたものとする。そうすると、図１７に示すアクセス拒否画面３４４２がユーザＣの携帯電話３０Ｃにて表示される（Ｓ７２）。
【０１８６】
図１７のアクセス拒否画面３４４２は、メンバのメールアドレスが入力されるメールアドレス入力フィールド３４５４、「Ｙｅｓ」ボタン３４５１、及び、「Ｎｏ」ボタン３４５２を含んで構成されている。ここでは、メールアドレス入力フィールド３４５４にユーザＢのメールアドレスが入力されるとともに「Ｙｅｓ」ボタン３４５１がクリックされる（Ｓ７４）。そうすると、ユーザＣの携帯電話３０Ｃから、サービスサーバ１０に対して、ユーザＣの携帯電話３０Ｃの電話番号及びメールアドレスが送信され（Ｓ７６）、そのメールアドレスがサービスサーバ１０のデータベースに予め登録されている場合には、サービスサーバ１０から、ユーザＢの携帯電話３０Ｂに対して、電子メールによりアクセス許可の問い合わせが行なわれる（Ｓ７８）。例えば、発注者ＡがユーザＢのメールアドレスを予め登録した場合にはこのような問い合わせが行なわれる。ユーザＢがそのユーザＢの携帯電話３０Ｂを用いてメールアドレスの登録をしてもよい。
【０１８７】
ユーザＢの携帯電話３０Ｂにて電子メールが開封されると、ユーザＢの携帯電話３０Ｂにて、アクセス許可の問い合わせ内容として電子メールの内容が表示される（Ｓ８０）。ここで、ユーザＢの携帯電話３０Ｂにおいて、所定の承諾操作が行なわれると（Ｓ８２）、発注者の携帯電話４０Ａから、サービスサーバ１０に対して、承諾通知が送信され（Ｓ８４）、ユーザＣの携帯電話３０Ｃの電話番号が、アクセス許可の携帯電話番号として、サービスサーバ１０のデータベースに登録され（Ｓ８６）、サービスサーバ１０から、ユーザＣの携帯電話３０Ｃに対して、アクセス許可通知が送信される（Ｓ８８）。なお、ユーザＣの携帯電話３０Ｃの電話番号は、既に説明したように、写真プリント上の画像及びその画像に対応するコンテンツと関連付けられてデータベースに登録される。
【０１８８】
その後、ユーザＣの携帯電話３０Ｃに写真プリント２６上の２次元コード２７を読み取らせると、ユーザＣの携帯電話３０Ｃから、サービスサーバ１０に対して、アクセス情報が送信されて、サービスサーバ１０から、ユーザＣの携帯電話３０Ｃに対して、写真プリント２６上の画像に関連する付加情報が配信され、その付加情報がユーザＣの携帯電話３０Ｃにおいて再生される。
【０１８９】
なお、ユーザＢの携帯電話３０Ｂのみに対してアクセス許可の問い合わせが行なわれる場合を例に説明したが、このような場合に特に限定されず、既にアクセス許可されているメンバ全員にアクセス許可の問い合わせが行なわれるようにしてもよい。
【０１９０】
また、第１の例として発注者の携帯電話にアクセス許可の問い合わせが行なわれる場合と、第２の例としてアクセス許可されているメンバの携帯電話にアクセス許可の問い合わせが行なわれる場合とに分けて説明したが、これらのような場合に特に限定されず、発注者と既にアクセス許可されているメンバとの両方にアクセス許可の問い合わせが行なわれるようにしてもよい。
【０１９１】
なお、第１実施形態のサービスシステムにおけるアクセス許可要求のみについて記載したが、第２実施形態及び第３実施形態についても実施してよい。
【０１９２】
この場合、携帯電話３０のアクセス制御手段は、サービスサーバ１０によってアクセスが拒否されたとき、サービスサーバ１０にアクセス許可要求を送信する。また、サービスサーバ１０は、携帯電話３０からアクセス許可要求を受信した場合、特定の人の承諾を条件に、その携帯電話３０からのアクセスを許可する。このとき、携帯電話３０の携帯電話番号を画像識別情報ｉｄに関連付けてデータベースに登録しておく。
【０１９３】
以上、アクセス許可の携帯電話番号ｔｅｌの暗号文を写真プリント２６に記録した場合を例に説明したが、携帯電話番号を暗号文であっても２次元コードに含ませることが、セキュリティ上、許容されない場合には、図５（ｅ）に示すように、アクセス許可の携帯電話番号ｔｅｌの暗号文は２次元コード２７に組み込まないようにしてもよい。この場合、２次元コード２７を読み取った携帯電話３０は、画像識別情報ｉｄを復号化できた場合のみサービスサーバ１０にアクセスし、画像識別情報ｉｄを復号化できなかった場合にはサービスサーバ１０にアクセスしないようにする。携帯電話番号が頻繁に変更されるような環境においても有効である。
【０１９４】
なお、前述の第１乃至第３実施形態において、アクセス情報に含まれるＵＲＬは、通信プロトコル名とサーバ１０のドメイン名だけに限らず、セキュリティ上で許容されるのであれば、ファイルパスなどの他の情報を含んでいてもよい。また、ＵＲＬに付加される情報は、画像識別情報ｉｄの暗号文や携帯電話番号ｔｅｌの暗号文に限らず、他の暗号文又は平文の情報が付加されていてもよい。
【０１９５】
また、アクセス情報を２次元コードとして写真プリント２６に記録する場合を例に説明
したが、本発明はこれに限らず、アクセス情報は、用紙に形成されたＩＣタグに書き込むようにしてもよい。この場合、プリンタ２０には、ＩＣタグ（ＲＦＩＤ：Radio Frequency Identification）ともいう）にアクセス情報を無線で書き込むための無線書込手段を設ける。この場合、携帯電話には、ＩＣタグからアクセス情報を無線で読み取るための無線読取手段が設けられる。
【０１９６】
また、アクセス情報は、写真プリント２６の画像に電子透かし情報として埋め込んで記録するようにしてもよい。この場合、携帯電話は、電子透かし情報を読み取る機能を有する。
【０１９７】
また、携帯電話に限らず、ＰＤＡ（Personal Digital Assistants）、その他の携帯端
末を用いてもよい。
【０１９８】
その他、本発明は、図で示した例や実施形態として説明した例に限定されるものではなく、本発明の要旨に従って適宜設計変更や改良を施して実施してよいことはもちろんである。
【図面の簡単な説明】
【０１９９】
【図１】本発明に係る一実施形態のサーバを含むサービスシステムの全体構成図
【図２】本発明に係る一実施形態のサーバの具体的な内部構成の例を示すブロック図
【図３】携帯電話の具体的な内部構成の例を示すブロック図
【図４】写真プリントの例を示す図
【図５】写真プリントに２次元コードとして記録される情報とサーバへのアクセス時にサーバに送信される情報とを説明する際に用いる説明図
【図６】第１実施形態のサーバの概念的な概略構成を示す概略ブロック図
【図７】第１実施形態のサービス処理の流れを示す説明図
【図８】第２実施形態のサーバの概念的な概略構成を示す概略ブロック図
【図９】第２実施形態のサービス処理の流れを示す説明図
【図１０】第３実施形態のサーバの概念的な概略構成を示す概略ブロック図
【図１１】第３実施形態のサービス処理の流れを示す説明図
【図１２】複数の携帯電話にアクセスを許可する場合のサービス処理の流れの一部を示す説明図
【図１３】（ａ）はアクセス許可の携帯電話番号をひとつ含むアクセス情報の一例を示す説明図、（ｂ）はアクセス許可の携帯電話番号を複数含むアクセス情報の一例を示す説明図
【図１４】発注者にアクセスの許可を求める場合の処理の流れを示す説明図
【図１５】発注者にアクセスの許可を求める場合のアクセス拒否画面
【図１６】グループ内のメンバにアクセスの許可を求める場合の処理の流れを示す説明図
【図１７】グループ内のメンバにアクセスの許可を求める場合のアクセス拒否画面
【符号の説明】
【０２００】
１０…サービスサーバ、１１…サービスサーバの通信部、１２…サービスサーバの制御部、１３…画像・付加情報データベース、１４…アクセス情報データベース、１５…課金情報データベース、２０…プリンタ、２６…写真プリント、２７（２７Ａ、２７Ｂ、２７Ｃ、２７Ｄ）…２次元コード（アクセス情報）、２８…画像、３０（３０Ｂ、３０Ｃ）…写真プリント配布先ユーザの携帯電話、４０（４０Ａ）…プリント注文ユーザの携帯電話、５０…注文受付端末、６０…ネットワーク、１０１ａ、１０２ａ、１０３ａ…注文情報受信手段、１０１ｂ、１０２ｂ、１０３ｂ…画像識別情報発行手段、１０１ｃ、１０２ｃ、１０３ｃ…暗号化手段、１０１ｄ、１０２ｄ、１０３ｄ…アクセス情報生成手段、１０１ｅ、１０２ｅ、１０３ｅ…プリント指示情報作成手段、１０１ｆ、１０２ｆ、１０３ｆ…登録手段、１０１ｇ、１０２ｇ、１０３ｇ…アクセス情報受信手段、１０１ｈ、１０２ｈ、１０３ｈ…復号化手段、１０１ｉ、１０２ｉ、１０３ｉ…検索手段、１０１ｊ、１０２ｊ…照合手段、１０１ｋ、１０２ｋ、１０３ｋ…配信手段
【図１】
2006024191.tif 000003
【図２】
2006024191.tif 000004
【図３】
2006024191.tif 000005
【図４】
2006024191.tif 000006
【図５】
2006024191.tif 000007
【図６】
2006024191.tif 000008
【図７】
2006024191.tif 000009
【図８】
2006024191.tif 000010
【図９】
2006024191.tif 000011
【図１０】
2006024191.tif 000012
【図１１】
2006024191.tif 000013
【図１２】
2006024191.tif 000014
【図１３】
2006024191.tif 000015
【図１４】
2006024191.tif 000016
【図１５】
2006024191.tif 000017
【図１６】
2006024191.tif 000018
【図１７】
2006024191.tif 000019